【手続補正書】
【提出日】平成19年1月22日(2007.1.22)
【手続補正１】
【補正対象書類名】特許請求の範囲
【補正対象項目名】全文
【補正方法】変更
【補正の内容】
【特許請求の範囲】
【請求項１】
心臓性能パラメーターを測定するためのシステムであって、該システムは、以下：
心臓周期の間の選択した時間に、心腔内の体積および圧力の少なくとも一方の変化を発生させるための手段；
体積および圧力の少なくとも一方の変化に応じて生じる該心腔の少なくとも１つの特性の変化を測定するための手段；および
該発生した変化に対する測定された特性の変化の割合に基づいて、少なくとも１つの心臓性能パラメーターを計算するための手段、
を備える、システム。
【請求項２】
前記変化を発生させるための手段が、心拡張期に、ある体積の流体を心腔内に導入するための手段を備える、請求項１に記載のシステム。
【請求項３】
前記体積の流体を導入するための手段が、心腔内の流体を、該腔内に配置されたカテーテルにおける１つ以上の開口を介して排出するための手段を備える、請求項２に記載のシステム。
【請求項４】
前記体積の流体を導入するための手段が、心腔内に配置されたカテーテルと結合する拡張可能なバルーンを膨張させるための手段を備える、請求項２に記載のシステム。
【請求項５】
前記バルーンを膨張させるための手段が、心臓の心収縮期に該バルーンを膨張させ；そして該心収縮期直後の心臓の心拡張期に、該バルーンを収縮させるために適している、請求項４に記載のシステム。
【請求項６】
前記バルーンを膨張させるための手段が、心臓の心拡張期に該バルーンを膨張させ、そして該心拡張期直後の心臓の心収縮期に該バルーンを収縮させるために適している、請求項４に記載のシステム。
【請求項７】
前記体積の流体を導入するための手段が、バルーンを膨張させるための手段を備え、該バルーンを膨張させるための手段は、該バルーンを心収縮期に心腔内で膨張させ、そして該心収縮期直後の心拡張期に、該バルーンを収縮させ、そして該心拡張期に該心腔内にある量の流体を放出するために適している、請求項２に記載のシステム。
【請求項８】
前記バルーンが、前記放出された流体の量に等しい体積まで収縮する、請求項７に記載のシステム。
【請求項９】
前記バルーンが、前記放出された流体の量を超える体積まで収縮する、請求項７に記載のシステム。
【請求項１０】
前記変化を発生させるための手段が、心拡張期に少なくとも１回水中聴音器を作動させるための手段を備える、請求項１に記載のシステム。
【請求項１１】
前記作動させるための手段が、約２００Ｈｚの周波数で水中聴音器を作動させるために適している、請求項１０に記載のシステム。
【請求項１２】
前記作動させるための手段が、約５００Ｈｚの周波数で水中聴音器を作動させるために適している、請求項１０に記載のシステム。
【請求項１３】
前記作動させるための手段が、約１０００Ｈｚの周波数で水中聴音器を作動させるために適している、請求項１０に記載のシステム。
【請求項１４】
前記変化を発生させるための手段が、発作性心室収縮を誘発させるための手段を備える、請求項１に記載のシステム。
【請求項１５】
前記発作性心室を収縮させるための手段が、電気的刺激である、請求項１４に記載のシステム。
【請求項１６】
心電図デバイスを使用して心臓周期を測定するための手段をさらに備え、ここで、前記心臓周期の間の選択した時間が、該心電図の測定値を使用して選択される、請求項１に記載のシステム。
【請求項１７】
前記心腔内に配置されたカテーテルにおける少なくとも１個のセンサを使用して、前記心臓周期を測定するための手段をさらに備え、ここで、前記心臓周期の間の選択した時間が、該センサの測定値を使用して選択される、請求項１に記載のシステム。
【請求項１８】
前記心臓の特性の変化が、体積および圧力の少なくとも一方の変化を生じさせた直後に測定される、請求項１に記載のシステム。
【請求項１９】
前記心臓の特性の変化が、体積または圧力の少なくとも一方の変化後に、前記心臓周期の少なくとも一部分の間に測定される、請求項１に記載のシステム。
【請求項２０】
一連の２回以上の連続する心臓周期にわたって使用するために適している、請求項１に記載のシステム。
【請求項２１】
前記変化を測定するための手段が、前記心腔内の少なくとも１つの圧力の変化を測定するために適している、請求項１に記載のシステム。
【請求項２２】
前記圧力の変化を測定するための手段が、拡張期末圧力の変化および収縮期末圧力の変化を測定するために適している、請求項２１に記載のシステム。
【請求項２３】
前記少なくとも１つのパラメーターを計算するための手段が、心臓圧力利得を計算するための手段を備える、請求項２２に記載のシステムであって、該計算するための手段が、
第１収縮期末圧力と第２収縮期末圧力との間の第１の差を計算するため；
第１拡張期末圧力と第２拡張期末圧力との間の第２の差を計算するため；および
該第１の差を該第２の差で除算するため
に適している、システム。
【請求項２４】
表示デバイスに表示するために、前記拡張期末圧力、前記収縮期末圧力および前記心臓圧力利得の少なくとも１つを提供するための手段をさらに備える、請求項２３に記載のシステム。
【請求項２５】
前記提供するための手段が、プロットの形態のデータを提供するために適しており、該プロットは、該プロットの一方の軸上に少なくとも１つの拡張期末体積を、および該プロットの垂直軸上に少なくとも１つの収縮期末体積を有する、請求項２４に記載のシステム。
【請求項２６】
前記変化を測定するための手段が、左心室拡張期末圧力の変化および左心室収縮期末圧力の変化を測定するために適している、請求項２１に記載のシステム。
【請求項２７】
前記変化を測定するための手段が、前記心腔内の少なくとも１つの体積の変化を測定するために適している、請求項１に記載のシステム。
【請求項２８】
前記変化を測定するための手段が、拡張期末体積の変化および収縮期末体積の変化を測定するために適している、請求項２７に記載のシステム。
【請求項２９】
前記少なくとも１つのパラメーターを計算するための手段が、体積予備力を計算するための手段を備える、請求項２８に記載のシステムであって、該計算するための手段が、
第１収縮期末体積と第２収縮期末体積との間の第１の差を計算するため；
第１拡張期末体積と第２拡張期末体積との間の第２の差を計算するため；および
該第１の差を該第２の差で除算する工程
に適している、システム。
【請求項３０】
表示デバイス上に表示するために、前記拡張期末体積、前記収縮期末圧力および前記体積予備力の少なくとも１つを提供するための手段をさらに備える、請求項２９に記載のシステム。
【請求項３１】
前記提供するための手段が、プロットの形態のデータを提供するために適しており、該プロットは、該プロットの一方の軸上に少なくとも１つの拡張期末体積を、および該プロットの垂直軸上に少なくとも１つの収縮期末体積を有する、請求項３０に記載のシステム。
【請求項３２】
前記変化を測定するための手段が、左心室拡張期末体積の変化および左心室収縮期末体積の変化を測定するために適している、請求項２８に記載のシステム。
【請求項３３】
前記変化を測定するための手段が、前記心腔内における少なくとも１つの圧力の変化および少なくとも１つの体積の変化を測定するために適している、請求項１に記載のシステム。
【請求項３４】
前記変化を測定するための手段が、拡張期末体積の変化および拡張期末圧力の変化を測定するために適している、請求項３３に記載のシステム。
【請求項３５】
圧力データおよび体積データをプロットとして提供するための手段をさらに備え、該プロットは、該プロットの一方の軸上に少なくとも１つの体積を、および該プロットの垂直軸上に少なくとも１つの体積を有する、請求項３４に記載のシステム。
【請求項３６】
前記少なくとも１つのパラメーターを計算するための手段が、前記心腔の拡張性硬度を計算するために適している、請求項３４に記載のシステムであって、該拡張性高度の計算が、
第２拡張期末圧力と第１拡張期末圧力との間の第１の差を計算する工程；
第２拡張期末体積と第１拡張期末体積との間の第２の差を計算する工程；および
該第１の差を該第２の差で除算する工程
を包含する、システム。
【請求項３７】
表示デバイス上に表示するために、前記体積、前記圧力および前記拡張性硬度の少なくとも１つを提供するための手段をさらに備える、請求項３６に記載のシステム。
【請求項３８】
前記少なくとも１つのパラメーターを計算するための手段が、前記心腔の拡張性コンプライアンスを計算するための手段を備える、請求項３４に記載のシステムであって、該計算するための手段は、
第２拡張期末体積と第１拡張期末体積との間の第１の差を計算するため；
第２拡張期末圧力と第１拡張期末圧力との間の第２の差を計算するため；および
該第１の差を該第２の差で除算するため
に適している、システム。
【請求項３９】
表示デバイス上に表示するために、前記体積、前記圧力および前記拡張性コンプライアンスの少なくとも１つを提供するための手段をさらに備える、請求項３８に記載のシステム。
【請求項４０】
前記変化を測定するための手段が、収縮期末体積の変化および収縮期末圧力の変化を測定するために適している、請求項３３に記載のシステム。
【請求項４１】
体積データおよび圧力データをプロットとして提供するための手段をさらに備え、該プロットは、プロットの一方の軸上に少なくとも１つの体積を、およびプロットの垂直軸上に少なくとも１つの体積を有する、請求項４０に記載のシステム。
【請求項４２】
前記少なくとも１つのパラメーターを計算するための手段が、前記心腔の変力性硬度を計算するための手段を備える、請求項４０に記載のシステムであって、該計算するための手段は、
第２収縮期末圧力と第１収縮期末圧力との間の第１の差を計算するため；
第２収縮期末体積と第１収縮期末体積との間の第２の差を計算するため；および
該第１の差を該第２の差で除算するため
に適している、システム。
【請求項４３】
表示デバイス上に表示するために、前記体積、前記圧力および前記変力性硬度の少なくとも１つを提供するための手段をさらに備える、請求項４２に記載のシステム。
【請求項４４】
前記少なくとも１つのパラメーターを計算するための手段が、前記心腔の変力性コンプライアンスを計算するために適している、請求項４０に記載のシステムであって、該変力性コンプライアンスの計算が、
第２収縮期末体積と第１収縮期末体積との間の第１の差を計算する工程；
第２収縮期末圧力と第１収縮期末圧力との間の第２の差を計算する工程；および
該第１の差を該第２の差で除算する工程
を包含する、システム。
【請求項４５】
表示デバイス上に表示するために、前記体積、前記圧力および前記変力性コンプライアンスの少なくとも１つを提供するための手段をさらに備える、請求項４４に記載のシステム。
【請求項４６】
前記測定するための手段および前記計算するための手段が、
心臓周期の間に、前記心腔内の圧力および体積を連続的に測定するため；
心室の拡張に起因して該体積が増加する場合、該圧力の第１の積分を、体積の関数として計算するため；
心室の収縮に起因して該体積が減少する場合、該圧力の第２の積分を、体積の関数として計算するため；および
該第１の積分から該第２の積分を減算することにより、該心腔の心筋仕事量を計算するため
に適している、請求項３３に記載のシステム。
【請求項４７】
前記測定するための手段および前記計算するための手段が、
心臓周期の間に、前記心腔内の圧力および体積を連続的に測定するため；
心室の拡張に起因して該体積が増加する場合、該圧力および該体積の積の第１積分を計算するため；
心室の収縮に起因して該体積が減少する場合、該圧力および該体積の積の第２積分を計算するため；および
該第１積分から該第２積分を減算することにより、該心腔の心筋仕事量の第１モーメントを計算するため
に適している、請求項３３に記載のシステム。
【請求項４８】
以下：
体表面積を計算するための手段；および
心筋仕事量を該体表面積で除算することにより、心筋仕事量係数を計算するための手段
をさらに備える、請求項４６に記載のシステム。
【請求項４９】
以下：
大動脈内の速度がゼロから増加を開始する時から、大動脈内の速度が最初にゼロに戻る時までを計算することによって、１回拍出駆出期間を計算するための手段；および
前記心筋仕事量を該１回拍出駆出期間で除算することにより、心筋出力を計算するための手段
をさらに備える、請求項４６に記載のシステム。
【請求項５０】
以下：
体表面積を計算するための手段；および
心筋出力を体表面積で除算することにより、心筋出力係数を計算するための手段
をさらに備える、請求項４９に記載のシステム。
【請求項５１】
以下：
１回拍出量を計算するための手段；および
心筋出力を１回拍出量で除算することにより、心筋出力要件パラメーターを計算するための手段
をさらに備える、請求項４９に記載のシステム。
【請求項５２】
以下：
第１心臓周期に関する第１心筋仕事量を計算するための手段；
前記拡張期末体積および前記拡張期末圧力を変化させるための手段；
第２心臓周期に関する第２心筋仕事量を計算するための手段；
該第１心臓周期に関する第１拡張期末圧力、および該第２心臓周期に関する第２拡張期末圧力を測定するための手段；および
該第２心筋仕事量と該第１心筋仕事量との間の差を、該第２拡張期末圧力と該第１拡張期末圧力との間の差で除算することにより、心筋予備力を計算するための手段
をさらに備える、請求項４６に記載のシステム。
【請求項５３】
以下：
体表面積を計算するための手段；および
心筋予備力を該体表面積で除算して、心筋予備力係数を計算するための手段
をさらに備える、請求項５２に記載のシステム。
【請求項５４】
前記心筋仕事量が、心臓の左心室に関して計算される、請求項４６に記載のシステム。
【請求項５５】
前記心筋仕事量が、心臓の右心室に関して計算される、請求項４６に記載のシステム。
【請求項５６】
以下：
第１心臓周期に関する第１心筋出力を計算するための手段；
前記拡張期末体積および前記拡張期末圧力を変化させるための手段；
第２心臓周期に関する第２心筋出力を計算するための手段；
該第１心臓周期に関する第１拡張期末圧力、および該第２心臓周期に関する第２拡張期末圧力を測定するための手段；および
該第２心筋出力と該第１心筋出力との間の差を、該第２拡張期末圧力と該第１拡張期末圧力との間の差で除算して、心筋出力予備力を計算するための手段
をさらに備える、請求項４６に記載のシステム。
【請求項５７】
以下：
体表面積を計算するための手段；および
心筋出力予備力を該体表面積で除算することにより、心筋出力予備力係数を計算するための手段
をさらに備える、請求項５６に記載のシステム。
【請求項５８】
以下：
前記体積の変化および／または前記圧力の変化に応じて生じる心腔からの血液流出の少なくとも１つの流速の変化を測定するための手段；および
該測定された流速の変化の、該体積の変化および／または該圧力の変化に対する割合に基づいて、該心腔の少なくとも１つの流速関連パラメーターを計算するための手段
をさらに備える、請求項１に記載のシステム。
【請求項５９】
前記流速の変化を測定するための手段が、大動脈内における少なくとも１つの流速を測定するために適している、請求項５８に記載のシステム。
【請求項６０】
前記流速の変化を測定するための手段が、少なくとも１つの肺動脈における少なくとも１つの流速を測定するために適している、請求項５８に記載のシステム。
【請求項６１】
前記流速関連パラメーターを計算するための手段が、流速が測定される心臓の少なくとも１つの１回拍出量を計算するために適している、請求項５８に記載のシステムであって、
心臓の心拍出量を概算するための手段；
心拍を測定するための手段；
該概算心拍出量を該心拍で除算することによって、第１の速度を計算するための手段；
ある回数の心臓周期にわたる流速の第１の積分を計算するための手段；
該積分を該回数の心臓周期で除算することによって、第２の速度を計算するための手段；
該第１の速度を該第２の速度で除算することによって、倍率を計算するための手段；
選択した心臓周期にわたって流速の第２の積分を計算するための手段；および
該第２の積分に該倍率を乗算することによって、該１回拍出量を計算するための手段
をさらに備える、システム。
【請求項６２】
以下：
体表面積を測定するための手段；および
１回拍出量を該体表面積で除算することにより、１回拍出量係数を計算するための手段
をさらに備える、請求項６１に記載のシステム。
【請求項６３】
前記心拍出量が、フィックの方法および希釈法のうちの少なくとも１つを使用して概算される、請求項６１に記載のシステム。
【請求項６４】
前記１回拍出量を前記心臓周期の１つの持続時間で除算することにより、計算された心拍出量を決定するための手段をさらに備える、請求項６１に記載のシステム。
【請求項６５】
以下：
体表面積を測定するための手段；および
前記計算された心拍出量を該体表面積で除算することにより、心係数を計算するための手段をさらに備える、請求項６４に記載のシステム。
【請求項６６】
以下：
第１心臓周期および第２心臓周期に関する、第１の計算された心拍出量および第２の計算された心拍出量を、決定するための手段；
該第１心臓周期および該第２心臓周期に関する、第１拡張期末圧力および第２拡張期末圧力を、測定するための手段；および
該第２の計算された心拍出量と該第１の計算された心拍出量との間の差を、該第２拡張期末圧力と該第１拡張期末圧力との間の差によって除算することにより、心臓予備力を計算するための手段
をさらに備える、請求項６４に記載のシステム。
【請求項６７】
以下：
体表面積を測定するための手段；
前記計算された心臓予備力を該体表面積によって除算することにより、心臓予備力係数を計算するための手段
をさらに備える、請求項６６に記載のシステム。
【請求項６８】
以下：
第１心臓周期および第２心臓周期に関する、第１の１回拍出量および第２の１回拍出量を計算するための手段；
該第１心臓周期および該第２心臓周期に関する、第１拡張期末圧力および第２拡張期末圧力を測定するための手段；および
該第２の計算された１回拍出量と該第１の計算された１回拍出量との間の差を該第２拡張期末圧力と該第１拡張期末圧力との間の差によって除算することにより、１回拍出予備力を計算するための手段
をさらに備える、請求項６１に記載のシステム。
【請求項６９】
以下：
体表面積を測定するための手段；および
前記計算された１回拍出予備力を該体表面積で除算することにより、１回拍出予備力係数を計算するための手段
をさらに備える、請求項６８に記載のシステム。
【請求項７０】
以下：
心臓に隣接する少なくとも１つの流出動脈内における平均収縮期圧を測定するための手段；
心腔内の平均拡張期圧力を測定するための手段；
該平均収縮期圧力と該平均拡張期圧力との間の差を計算するための手段；および
該差を前記１回拍出量で乗算することにより、１回仕事量を計算するための手段
をさらに備える、請求項６１に記載のシステム。
【請求項７１】
以下：
体表面積を測定するための手段；および
前記計算された１回仕事量を該体表面積で除算することにより、１回仕事量係数を計算するための手段
をさらに備える、請求項７０に記載のシステム。
【請求項７２】
以下：
第１の心臓周期および第２の心臓周期に関する、第１の１回仕事量および第２の１回仕事量を計算するための手段；
該第１の心臓周期および該第２の心臓周期に関する、第１拡張期末圧力および第２拡張期末圧力を測定するための手段；および
該第２の計算された１回仕事量と第１の計算された１回仕事量との間の差を第２拡張期末圧力と第１拡張期末圧力との間の差で除算することにより、１回仕事量予備力を計算するための手段
をさらに備える、請求項７０に記載のシステム。
【請求項７３】
以下：
体表面積を測定するための手段；および
前記計算された１回仕事量予備力を該体表面積で除算することにより、１回仕事量予備力係数を計算するための手段
をさらに備える、請求項７２に記載のシステム。
【請求項７４】
前記少なくとも１つの流出動脈が、大動脈を含む、請求項７０に記載のシステム。
【請求項７５】
前記少なくとも１つの流出動脈が、少なくとも１つの肺動脈を含む、請求項７０に記載のシステム。
【請求項７６】
前記１回仕事量を前記心筋仕事量で除算することにより、心臓効率を計算するための手段をさらに備える、請求項４６および請求項７０に記載のシステム。
【請求項７７】
以下：
第１心臓周期および第２心臓周期に関する、第１の１回拍出量および第２の１回拍出量を計算するための手段；
該第１心臓周期および該第２心臓周期に関する、第１拡張期末体積および第２拡張期末体積を測定するための手段；および
該第２の計算された１回拍出量と該第１の計算された１回拍出量との間の差を、該第２拡張期末体積と該第１拡張期末体積との間の差で除算することにより、心臓の増幅度を計算するための手段
をさらに備える、請求項６１に記載のシステム。
【請求項７８】
以下：
体積および圧力の第２の積と体積および圧力の第１の積との間の、第１の差を計算するための手段であって、該第２の体積および圧力が、該第１の体積および圧力の直後に測定される、手段；
該第１回と該第２回との間での、近位動脈における前記速度の倍率と積分との積である、増分１回拍出量の定量を計算するための手段；
該第１測定値と該第２測定値との間の期間を計算するための手段；
該増分１回拍出量と該期間との間の第３の積を計算するための手段；および
該第１の差を該第３の積で除算することによって、駆出収縮性パラメーターを計算するための手段
をさらに備える、請求項６１に記載のシステム。
【請求項７９】
心臓の１つ以上のパラメーターを測定するためのシステムであって、以下：
少なくとも１個のセンサと、少なくとも１個の作動装置であって、心臓周期間の選択した時間に、既知体積の流体を心臓の少なくとも１つの腔内に導入し、該心腔内における体積の変化を生じさせる作動装置、とを備える、カテーテル；
該作動装置に流体を供給するために、該カテーテルに結合された流体源；および
少なくとも１個のセンサにより感知されたデータを処理するための、カテーテルに結合されたプロセッサ
を備える、システム。
【請求項８０】
前記少なくとも１個のセンサが、圧力センサおよび体積センサのうちの少なくとも１つを含む、請求項７９に記載のシステム。
【請求項８１】
前記少なくとも１個のセンサが、心臓からの血流を測定するための少なくとも１個の流速センサと、心臓から伸びる血管内の圧力を測定するための血圧センサとをさらに含む、請求項８０に記載のシステム。
【請求項８２】
少なくとも１個の流速センサまたは圧力センサが、大動脈、肺動脈および環状動脈のうちの少なくとも１つにおける流速または圧力を測定するための位置に配置される、請求項８１に記載のシステム。
【請求項８３】
前記少なくとも１個のセンサが、少なくとも１個の水中聴音器を備える、請求項７９に記載のシステム。
【請求項８４】
前記少なくとも１個のセンサが、心臓の１つの腔内の距離を測定するための少なくとも１個の超音波変換器を備える、請求項７９に記載のシステム。
【請求項８５】
前記少なくとも１個の超音波変換器が、以下：
第１の超音波変換器対であって、前記変換器と心臓の腔の壁との間の第１の距離を測定するために、前記カテーテルの長軸方向軸と平行に該カテーテルに結合される、第１の超音波変換器対；
第２の超音波変換器対であって、心腔の壁までの第２および第３の距離を測定するために、該第１の変換器対から９０°回転した向きで該カテーテルに結合される、第２の超音波変換器対；および
第３の超音波変換器対であって、心腔の壁までの第４および第５の距離を測定するために、該第１および該第２の変換器対から９０°回転した向きで該カテーテルに結合される、第３の超音波変換器対
を備える、請求項８４に記載のシステム。
【請求項８６】
前記少なくとも１個の作動装置が、流体出口ポートおよび拡張可能なバルーンのうちの少なくとも１つを備え、該拡張可能なバルーンが、該流体を該バルーン内に導入することにより拡張可能である、請求項７９に記載のシステム。
【請求項８７】
心臓周期を測定するために、前記プロセッサと連結された心電図デバイスをさらに備える、請求項７９に記載のシステム。
【手続補正２】
【補正対象書類名】明細書
【補正対象項目名】全文
【補正方法】変更
【補正の内容】
【発明の詳細な説明】
【発明の名称】心臓のパラメーターを測定するための方法およびシステム
【技術分野】
【０００１】
（関連出願の相互参照）
本出願は、２００３年１月２４日に出願された米国仮特許出願第６０／４４２４４１号（代理人名簿番号第２１３０８−０００８００ＵＳ号）の優先権の利益を主張し、この出願の開示内容は、引用することにより本願に援用する。本出願は、米国特許出願第１０／      号（代理人名簿番号第２１３０８−０００７１０ＵＳ号）；および第１０／      号（代理人名簿番号第２１３０８−００１１１０ＵＳ号）に関連し、これらの出願は共に、本出願と同時に出願され、引用することにより全体的に本願に援用する。
【背景技術】
【０００２】
（発明の背景）
発明の分野。本発明は、一般に医療デバイスおよび方法に関する。詳細には、本発明は、血管内またはカテーテルデバイスから取得したデータに基づいて、心臓性能パラメーターを決定するための医療デバイス、システムおよび方法に関する。
【０００３】
血管内および腔内介入およびモニタリングは、現代の心臓学およびその他の医療分野において不可欠になった。本発明にとって特に興味深い点は、心臓の性能をモニタリングするために、心臓内カテーテル、埋め込み可能なセンサ、並びにその他のデバイスおよびシステムが開発されたことである。
【０００４】
心疾患を罹患しているか、または心疾患の恐れがある患者を適切に治療する能力は、心臓の性能および機能を頻繁に、またはリアルタイムで連続的にモニタリングすることにより大幅に強化することが可能である。たとえば、鬱血性心不全を罹患している患者は、心臓の性能および機能、および患者が薬物療法にどのように反応するかに関して比較的多くの情報を入手可能であり、情報を比較的頻繁に入手可能であれば、特定の薬剤の投薬量を滴定することができる。さらに、比較的良好な心臓性能データが入手可能であれば、外科的介入の必要性も比較的良好に評価することが可能である。たとえば、特にモス状態が共存している場合、ポンプ機能の低下を生じる心筋機能不全などのその他の心臓状態から、主に大動脈弁狭窄症または僧坊弁閉鎖不全症による心臓機能障害を識別することは困難であることが多い。
【０００５】
これらの理由から、医療施設の内外両方において心臓の性能および機能をモニタリングするための改善されたデバイス、システムおよび方法を提供することが望まれる。このような改善されたデバイス、システムおよび方法により、心臓の性能および機能に関する様々な機械的、生物学的および化学的パラメーターを測定し、こうして測定された性能特性に基づいて計算された心臓性能値を分析することが可能である。好ましくは、デバイスおよび装置は、発生部位の心臓性能データの周期的または連続的な収集を可能にする１個または複数の血管内カテーテルを備える。次に、システムは、収集された内外の測定性能データに基づいて、生理学的原因の心臓性能パラメーターを計算する。これらの目的の少なくとも一部は、以下に記載する本発明により達成されるであろう。
【０００６】
２．発明の背景。様々な心臓パラメーターおよび生理的パラメーターを測定するためのカテーテル、並びに血管内および心臓内デバイスは、２００３年１２月１１日に出願され、本願と同一の所有権者に譲渡された米国同時係属特許出願第１０／７３４４９０号（代理人名簿番号第２１３０８−０００５１０ＵＳ号）、「血行力学的パラメーターをモニタリングおよび処理するための方法およびシステム」（Ｍｅｔｈｏｄ  ａｎｄ  Ｓｙｓｔｅｍ  ｆｏｒ  Ｍｏｎｉｔｏｒｉｎｇ  ａｎｄ  Ｔｒｅａｔｉｎｇ  Ｈｅｍｏｄｙｎａｍｉｃ  Ｐａｒａｍｅｔｅｒｓ）に記載されており、この出願全体の開示事項は、引用することにより本願に援用する。心臓および／または脈管構造内の様々な生理的パラメーターを測定可能なその他のカテーテルおよび埋め込み可能なセンサは、米国特許第５，８１４，０８９号；米国特許公報第６，３２８，６９９  Ｂ１号；米国特許公報６，４３８，４０８  Ｂ１号；米国特許公開公報第２００１／００５３８８２  Ａｌ号；米国特許公開公報第２００１／００４７１３８  Ａｌ号；米国特許公開公報第２００２／００７７５６８  Ａｌ号；米国特許公開公報第２００２／０１１１５６０  Ａｌ号；米国特許公開公報第２００２／０１５１８１６  Ａｌ号；米国特許第２００２／０１５６４１７号；米国特許第２００２／０１６９４４５号；および国際特許公開公報第ＷＯ  ０２／０６５８９４  Ａ２号に記載されている。これらの特許および特許出願の各々の完全な開示事項は、引用することにより本願に援用する。
【発明の開示】
【課題を解決するための手段】
【０００７】
（発明の簡単な要旨）
本発明の方法およびシステムは、様々な心臓パラメーターの測定を可能にする。方法は、心腔内の体積および／または圧力を変化させ、変化を測定し、変化に基づいて少なくとも１つの心臓パラメーターを計算する工程を包含する。システムは、一般に、少なくとも部分的に心腔内に配置され、少なくとも１個の作動装置および少なくとも１個のセンサを備えるカテーテルまたはその他のデバイスを備える。米国特許出願第１０／７３４４９０号に記載されている類のモニタリングデバイスを使用することができ、この出願は、上記のとおり引用することにより本願に援用する。実施態様によっては、米国特許出願第６０／４４２４４１号に記載されている類の埋め込み可能なデバイスも使用することができ、この出願は、上記のとおり引用することにより本願に援用する。実施態様によっては、このシステムは、コンピュータまたはその他のプロセッサなどの制御装置、外部作動装置、ＥＣＧデバイス、注入デバイスおよび／またはその他も備える場合がある。本発明の方法およびシステムは、心臓の状態を比較的正確に診断し、疾病の重大度、および治療法の介入に対して可能性のある反応を正確に確立し、患者特有の治療を決定するために使用される。
【０００８】
本発明の一態様では、心臓性能パラメーターを測定する方法は、心臓周期時の選択した時に、心腔内の体積および圧力の少なくとも一方を変化させる工程と、体積の変化および／または圧力の変化に応じて生じる心腔の少なくとも１つの特性の変化を測定する工程と、測定した特性の変化が体積の変化または圧力の変化に対して占める割合に基づいて、心腔の少なくとも１つのパラメーターの計算する工程とを含む。様々な血行力学パラメーターの同様の測定は、心拍の変化、電気化学的結合、電子生理学的タイミング、および抹消血管の変化により変化が誘発された後に行うことができる。
【０００９】
実施態様によっては、変化を生じさせる工程は、心拡張時に流体体積を心腔内に導入する工程を包含する。流体は、拘束されていても、拘束されていなくても良い。たとえば、流体体積の導入は、チャンバ内に配置されたカテーテル内の１個または複数の開口を介して、心腔内の流体を放出する工程を包含する。詳細には、流体体積の導入は、心腔内に配置されたカテーテルと結合する拡張可能なバルーンを膨張させる工程を包含する。たとえば、バルーンの膨張は、心臓の心収縮期時におけるバルーンの膨張、および心収縮期直後の心臓の心拡張時におけるバルーンの収縮を含む。別法によると、流体体積の導入は、心収縮期時に心腔内でバルーンを膨張させる工程と、心収縮期直後の心拡張時にバルーンを収縮させる工程と、心拡張時に、心腔内のある量の非拘束流体を解放する工程とを含む。たとえば、バルーンは、解放される流体体積の量に等しい体積だけ収縮する。別法によると、バルーンは、解放される流体の量を超える体積の分だけ収縮する。実施態様によっては、変化を生じさせる工程は、心拡張時に少なくとも１回、水中聴音器を作動させることを含む。水中聴音器は、任意の適切な周波数で作動するが、実施態様によっては、約２００Ｈｚの周波数で作動する。さらに他の実施態様は、拡張期充満期間の変化、および瞬間的または外因的に誘発される発作性心室頻拍症（「ＰＶＣ」）によって生じる期外収縮後の増強作用に関連する測定を含む。さらに他の実施態様は、運動により誘発される変化、心拍の変化、および負荷または無負荷状態の測定、並びに電子生理学的または薬理学的刺激または介入に対する反応の予測を含む。
【００１０】
任意に、ある方法では、心電図デバイスを使用して心臓周期を測定する工程をさらに含み、心臓周期時の選択時間は、心電図測定を使用して選択される。もう１つの実施態様では、この方法は、心腔内に配置されたカテーテル上の少なくとも１個のセンサを使用して、心臓周期を測定する工程を含み、心臓周期の選択時間は、センサの測定を使用して選択される。様々な工程のタイミングは、実施態様によって異なる。たとえば、一実施態様では、測定工程は、体積および圧力の少なくとも一方を変化させた直後に行われる。もう１つの実施態様では、測定工程は、体積または圧力の少なくとも一方の変化後に、心臓周期の少なくとも１部分の間に行われる。任意に、この方法は、一連の２つ以上の連続する心臓周期において、変化を生じさせる工程と、測定する工程と、計算する工程とをさらに含む。
【００１１】
一実施態様では、変化の測定は、心腔内の少なくとも１回の圧力変化の測定を含む。たとえば、圧力の変化の測定は、拡張期末圧力の変化および収縮期末圧力の変化の測定を含む。こうした実施態様では、少なくとも１つのパラメーターの計算は、心臓の圧力の予備力を計算することを含み、この計算は、第１拡張期末圧力と第２拡張期末圧力との間の第１の差を計算し、第１拡張期末圧力と第２拡張期末圧力との間の第２の差を計算し、第１の差を第２の差で除算することを含む。この方法は、拡張期末圧力、収縮期末圧力および心臓圧力予備力の少なくとも１つを提供して、表示デバイス上に表示することを含む。たとえば、提供工程は、プロットの形態のデータであって、プロットの一方の軸上に少なくとも１つの拡張期末圧力、およびプロットの垂直軸上に少なくとも１つの収縮期末圧力を有するデータを提供することを含む。特性およびパラメーターは、心腔内で測定および計算されるが、一実施態様では、変化の測定は、左心室拡張期末圧力の変化、および左心室の収縮期末圧力の変化を測定することを含む。
【００１２】
もう１つの実施態様では、変化の測定は、心腔内における少なくとも１つの体積の変化を測定する工程を包含する。たとえば、変化の測定は、拡張期末体積の変化および収縮期末体積の変化の測定を含む。実施態様によっては、パラメーターの計算は体積予備力の計算を含み、体積予備力の計算は、第１収縮期末体積と第２収縮期末体積との間の第１の差を計算する工程と、第１拡張期末体積と第２拡張期末体積との間の第２の差を計算する工程と、第１の差を第２の差で除算する工程とを含む。この方法は、任意に、拡張期末体積、収縮期末体積および体積予備力の少なくとも１つを提供し、表示デバイスに表示する工程を包含することができる。たとえば、この提供工程は、プロットの形態のデータであって、プロットの一方の軸上に少なくとも１つの拡張期末体積、およびプロットの垂直軸上に少なくとも１つの収縮期末体積を有するデータを提供することを含む。変化の測定は、実施態様によっては、左心室拡張期末体積の変化、および左心室収縮期末体積の変化を測定することを含む。
【００１３】
実施態様によっては、変化の測定は、少なくとも１つの圧力の変化、および心腔内の少なくとも１つの体積の変化を測定する工程を包含する。変化の測定は、たとえば、拡張期末体積の変化および拡張期末圧力の変化の測定を含む。拡張期末モーメントは、心室体積が拡張期末において最大である時に、体積センサを使用して決定される。この実施態様では、この方法は、少なくとも１つの体積がプロットの一方の軸上にあり、少なくとも１つの体積がプロットの垂直軸上にあるプロットとして圧力および体積データを提供する工程を包含する。少なくとも１つのパラメーターの計算は、心腔の拡張性硬度を計算する工程を含み、この工程は、第２拡張期末圧力と第１拡張期末圧力との間の第１の差を計算する工程と、第２拡張期末体積と第１拡張期末体積との間の第２の差を計算する工程と、第１の差を第２の差で除算する工程とを含む。この方法は、体積、圧力および拡張性硬度の少なくとも１つを提供し、表示デバイスに表示する工程を包含する。もう１つの実施態様では、少なくとも１つのパラメーターの計算は、心腔の拡張性コンプライアンスを計算する工程を含み、この工程は、第２拡張期末体積と第１拡張期末体積との間の第１の差を計算する工程と、第２拡張期末圧力と第１拡張期末圧力との間の第２の差を計算する工程と、第１の差を第２の差で除算する工程とを含む。様々な実施態様で、これらの方法は、体積、圧力および拡張性コンプライアンスの少なくとも１つを提供し、表示デバイスに表示する工程をさらに含む場合がある。
【００１４】
さらにもう１つの実施態様では、変化の測定は、収縮期末体積の変化および収縮期末圧力の変化を測定する工程を包含する。収縮期末モーメントは、心室体積が収縮期末において最低である時に、体積センサを使用して決定される。実施態様によっては、少なくとも１つの体積がプロットの一方の軸上にあり、少なくとも１つの圧力がプロットの垂直軸上にあるプロットとして、体積および圧力データを提供する工程をさらに含む。少なくとも１つのパラメーターの計算は、一実施態様では、心腔の変力性硬度を計算する工程を含み、この工程は、第２収縮期末圧力と第１収縮期末圧力との間の第１の差を計算する工程と、第２収縮期末体積と第１収縮期末体積との間の第２の差を計算する工程と、第１の差を第２の差で除算する工程とを含む。この方法は、体積、圧力および変力性硬度の少なくとも１つを提供して、表示デバイス上に表示する工程も含む場合がある。
【００１５】
もう１つの実施態様では、少なくとも１つのパラメーターの計算は、心腔の変力性コンプライアンスを計算する工程を含み、この工程は、第２収縮期末体積と第１収縮期末体積との間の第１の差を計算する工程と、第２収縮期末圧力と第１収縮期末圧力との間の第２の差を計算する工程と、第１の差を第２の差で除算する工程とを含む。やはり、体積、圧力および変力性コンプライアンスの何れかを提供して、表示デバイスに表示する工程を包含する。
【００１６】
もう１つの実施態様では、測定および計算工程は、少なくとも２つの心臓周期の間に心腔ないおよび圧力および体積を連続的に測定し、第１の心臓周期は、変化を生じさせる工程の前に行われる工程と、体積が、変化を生じさせる工程により増加する時に、圧力と体積との積の第１の積分を計算する工程と、体積が減少する時に、圧力と体積との積の第２の積分を計算する工程と、第２積分を第１積分から減算することにより、心腔の心筋仕事量を計算する工程とを含む。任意に、この方法は、第１心臓周期における第１心筋仕事量を計算する工程と、第２心臓周期における第２心筋仕事量を計算する工程と、第１心臓周期における第１拡張期末圧力および第に心臓周期における第２拡張期末圧力とを測定する工程と、第２心筋仕事量と第１心筋仕事量との間の差を、第２拡張期末圧力と第１第１拡張期末圧力との間の差により除算する工程とをさらに含む。こうした方法は、本体の表面積を計算する工程と、心筋予備力を本体表面積により除算して、心筋予備力を計算する工程とをさらに含む。心筋仕事量は、心臓の左心室および心臓の右心室、またはその他の何らかの室に関して計算される。
【００１７】
さらにもう１つの実施態様では、上記の方法は、心腔から流出する血液の少なくとも１回の流速の変化であって、体積および／または圧力の変化に対応して生じる変化を測定する工程と、測定した流速の変化が体積および／または圧力の変化に占める割合に基づいて、心腔の少なくとも１回の流速に関連するパラメーターを計算する工程とをさらに含む。こうした実施態様では、流速の変化の測定は、大動脈内で少なくとも１回の流速を測定する工程を包含する。別法によると、流速の変化の測定は、少なくとも１つの肺動脈内の少なくとも１回の流速を測定する工程を包含する。
【００１８】
一実施態様では、流速関連パラメーターの計算は、流速を測定する心臓の少なくとも１回の１回拍出量を計算する工程を含み、この方法は、心臓の第１心拍出量を概算する工程と、心臓の脈拍数を測定する工程と、第１心拍出量を心拍で除算して第１の１回拍出量を計算する工程と、多数の心臓周期における流速の第１積分を計算する工程と、第１積分を心臓周期の数で除算して第２の１回拍出量を計算する工程と、第１の１回拍出量を第２の１回拍出量で除算して張りを計算する工程と、選択された心臓周期時に、流速の選択した積分を計算する工程と、選択した積分に倍率を乗算して、選択した１回拍出量を計算する工程とを含む。実施態様によっては、第１心拍出量は、フィック（Ｆｉｃｋ）の方法および希釈法の少なくとも一方を使用して概算する。実施態様によっては、この方法は、選択１回拍出量を選択心臓周期の持続時間で除算して、選択心拍出量を決定する工程をさらに含む。この校正手順の目的は、カテーテルシステムが、各々の心臓周期の１回拍出量および有効心拍出量を測定することを可能にすることである。フィックまたは希釈による現在の方法は、多くの心拍出量を平均する。したがって、こうした実施態様は、たとえば、体表面積を測定する工程と、選択心拍出量を体表面積で除算して心臓指数を計算する工程とをさらに含む。
【００１９】
実施態様によっては、第１および第に心臓周期における第１の選択心拍出量および第２の選択心拍出量を決定する工程と、第１および第２心臓周期における第１拡張期末圧力および第２拡張期末圧力を測定する工程と、第２および第１の選択心拍出量の差を第２および第１拡張期末圧力の差で除算して心臓予備力を計算する工程とをさらに含む。たとえば、この方法は、対表面積を測定する工程と、計算された心臓予備力を体表面積で除算して、心臓予備力指数を計算する工程とをさらに含む。
【００２０】
一実施態様では、この方法は、第１および第２心臓周期における第１の１回拍出量および第２の１回拍出量を計算する工程と、第１および第２心臓周期における第１拡張期末圧力および第２拡張期末圧力を測定する工程と、第２および第２の計算１回拍出量間の差を第２および第１拡張期末圧力間の差で除算して、行程予備力を計算する工程とをさらに含む。この方法は、対表面積を測定する工程と、計算した１回拍出量予備力を体表面積で除算して、１回拍出量予備力指数を計算する工程とをさらに含む。この方法は、任意に、心臓に隣接する少なくとも１つの流出動脈内の平均収縮期圧力を測定する工程と、心腔内の平均拡張期圧力を測定する工程と、平均心拍出量と平均拡張期圧力との間の差を計算する工程と、この差に１回拍出量を乗じて１回仕事量を計算する工程とをさらに含む。
【００２１】
実施態様によっては、この方法は、第１および第２心臓周期における第１の１回仕事量および第２の１回仕事量を計算する工程と、第１および第２心臓周期における第１拡張期末圧力および第２拡張期末圧力を測定する工程と、第２および第１の計算された１回仕事量間の差を第２および第１拡張期末圧力間の差で除算して、１回仕事量予備力を計算する工程とをさらに含む。この方法は、任意に、体表面積を計算する工程と、計算された１回仕事量予備力を体表面積で除算して、１回仕事量予備力指数を計算する工程とをさらに含む。この方法は、心収縮後の増強作用およびその能力を測定して、心筋予備力を概算する工程も含む。
【００２２】
上記の実施態様では、少なくとも１つの流出動脈は大動脈、少なくとも１つの肺動脈、または任意のその他の適切な流出動脈である。上記の実施態様は、任意に、１回仕事量を心筋仕事量で除算して、心臓効率を計算する工程をさらに含む。
【００２３】
一実施態様では、方法は、第１および第２心臓周期における第１の１回拍出量および第２の１回拍出量を計算する工程と、第１および第２心臓周期における第１拡張期末体積および第２拡張期末体積を測定する工程と、第２および第２の計算１回拍出量間の差を第２および第１拡張期末体積間の差で除算して、心臓の増幅度（ｃａｒｄｉａｃ  ａｍｐｌｉｆｉｃａｔｉｏｎ）を計算する工程とを含む。
【００２４】
本発明のもう１つの態様では、心臓の１つまたは複数のパラメーターを測定するシステムは、少なくとも１個のセンサおよび少なくとも１個の拡張可能な要素を備えるカテーテルを備え、カテーテルは、通常、心臓周期の選択した時に心臓の少なくとも一方の室内に拘束または非拘束流体を導入し、心腔内の体積を変化させるための作動装置と、カテーテルに結合されて、流体を作動装置に供給するための流体源と、カテーテルに結合され、少なくとも２個のセンサが感知したデータを処理するためのプロセッサとを含む。実施態様によっては、センサは、圧力センサおよび体積センサの少なくとも一方を備える。任意に、センサは、心臓から流れる血液を測定するための少なくとも１個の流速センサと、心臓から延在する血管内の圧力を測定するための血圧センサとをさらに備える。別法によると、カテーテルは、心腔変形手段、たとえば心腔を外側に偏向させるか、さもなければ機械的に再整形して、圧力の変化または体積の変化を誘発するためのプッシャなどを備えることができる。一実施態様では、流速計は、心腔の膨張性を測定するために備えられる。
【００２５】
実施態様によっては、流速センサまたは圧力センサは、大動脈および肺動脈の少なくとも一方の流速または圧力を測定する位置に配置される。実施態様によっては、少なくとも１個のセンサは水中聴音器を備える。実施態様によっては、センサは、心室内の距離を測定するための少なくとも１個の超音波変換器を備える。実施態様によっては、たとえば、超音波変換器は、カテーテルの長手方向軸と平行にカテーテルに結合され、変換器と心腔壁部との間の第１の距離を測定するための第１の超音波変換器対と、第１の変換器対から９０°回転した向きでカテーテルに結合され、心腔壁部までの第２および第３の距離を測定するための第２の超音波変換器対と、第１および第２の変換器対から９０°回転した向きでカテーテルに結合され、心腔壁部までの第４および第５の距離を測定するための第３超音波変換器対とを備える。
【００２６】
作動装置は、システムに使用するのに適するもので良い。たとえば、作動装置は、少なくとも１個の流速出口ポートと、拡張可能なバルーンとを備え、拡張可能なバルーンは、流速をバルーン内に導入することにより拡張可能である。実施態様によっては、システムは、プロセッサに結合されて心臓周期を測定するための心電図デバイスをさらに備える。
【００２７】
（発明の詳細な説明）
本発明は、１つまたは複数の患者のパラメーター、特に心臓性能パラメーターをモニタリングするための方法、システムおよび装置を目的とする。本発明の装置は、一般に、１個または複数のセンサおよび１個または複数の作動装置を有するカテーテルを備える。こうした１つのカテーテルは、たとえば、米国特許出願第１０／７３４４９０号「血行力学パラメーターをモニタリングおよび処理するための方法およびシステム」（Ｍｅｔｈｏｄ  ａｎｄ  Ｓｙｓｔｅｍ  ｆｏｒ  Ｍｏｎｉｔｏｒｉｎｇ  ａｎｄ  Ｔｒｅａｔｉｎｇ  Ｈｅｍｏｄｙｎａｍｉｃｓ  Ｐａｒａｍｅｔｅｒｓ）に記載されており、この出願は、引用することにより本願に援用する。本発明のシステムは、一般に、カテーテル、外部作動デバイスおよび制御装置を備える。実施態様によっては、システムは、カテーテルに関連して使用される心電図（ＥＣＧ）デバイス、その他の類似心臓モニタリングデバイス、サーミスタ、心拍出量測定コンソール、注入デバイス、心音図デバイスなども備える場合がある。さらに、実施態様によっては、米国特許出願第１０／７３４４９０号「遠隔血行力学的モニタリングのための方法およびシステム」（Ｍｅｔｈｏｄ  ａｎｄ  Ｓｙｓｔｅｍ  ｆｏｒ  Ｒｅｍｏｔｅ  Ｈｅｍｏｄｙｎａｍｉｃ  Ｍｏｎｉｔｏｒｉｎｇ）に記載されているモニタリングデバイスの類の１個または複数の埋め込み可能なデバイスを使用し、この出願は、上記のとおり引用することにより本願に援用する。本発明の方法は、一般に、心臓の特性を変化させる工程と、変化を測定する工程と、変化に基づいて心臓パラメーターを計算する工程とを含む。
【００２８】
次に図１を参照すると、本発明の原理に従って構成された例示的なシステム１００は、患者Ｐの心臓Ｈ内に配置されたカテーテルデバイス１０２と、カテーテルデバイス１０２と結合された制御装置１０８と、制御装置１０８およびカテーテルデバイス１０２と結合された外部作動装置１１０とを備える。以下で詳細に説明するとおり、カテーテルデバイス１０２は、一般に、１個または複数のセンサ１０４と、１個または複数の作動装置とを備え、心臓Ｈまたは脈管構造内の適切な位置に配置することができる。センサ１０４は、心臓機能に特徴的な様々な生理学的パラメーターを測定するように構成され、作動装置１０６は、一方の室、複数の室、または心臓Ｈ内のその他の領域もしくは心臓Ｈの周囲に変化を生じさせるように構成される。制御装置１０８は、一般に、センサ１０４からデータを受信し、さらに、カテーテル１０２の様々な構成要素、および外部作動装置１１０を作動させる。制御装置１０８は、ＥＣＧデバイスなどのその他の様々な構成要素からもデータを受信する。外部作動装置１１０は、一般に、制御装置１０８からの命令を介して、カテーテル１０２上の１個または複数の作動装置１０６を作動させる。
【００２９】
本発明によるシステムは、特殊機器および既製機器の両方を含む様々な特定の形態を取ることができる。図１に示す構成要素は結合されるか、および／または追加の構成要素がシステム１００に追加される。通常、カテーテルデバイス１０２は、本発明の原理に従って特に製造されるが、場合によっては、現在市販されているか、または将来市販されている比較的従来のセンサデバイスを使用することが可能である。さらに、外部制御装置１０８または外部作動装置１１０は、少なくとも部分的に市販の機器を備える。多くの場合、汎用コンピュータおよびワークステーションは、システムおよび本発明の多くの機能および計算を実行するようにプログラムされる。
【００３０】
次に、図２を参照すると、図１に示したシステム１００の様々な構成要素、およびＥＣＧデバイス２１０が示されており、矢印は、いくつかの実施態様において、データがシステム１００の各構成要素間で流れる方向を指示する。たとえば、データは、１個または複数のセンサを作動させるデータなど、制御装置１０８からカテーテル１０２に流れ、エネルギーは、制御装置１０８からカテーテル１０２などに伝送される。その結果、カテーテル１０２は、感知したデータを制御装置１０８に伝送する。外部作動装置１１０は、カテーテル１０２上の１個または複数の作動装置がいつ作動するべきかを外部作動装置に指示するデータを制御装置１０８から受信する。ＥＣＧデバイス１１２は、制御装置１０８により作動し、心臓データを制御装置１０８に提供し、制御装置１０８は、これらのデータを使用して、システム１００のその他の構成要素を作動させる。全体として、システム１００の何らかの適切な構成要素間の適切な接続性、およびデータ、エネルギーなどの伝送は、本発明の範囲内であると考える。
【００３１】
外部制御装置１０８は、直接的なユーザ入力／出力機能を提供し、つまり、スクリーン、プリンタインターフェース、読み／書きデータ記憶機能などを備える。任意に、外部制御装置１０８は、さらに他のコンピュータ、ワークステーション、またはユーザと直接的にインターフェースして、入力／出力機能を提供するその他のデバイスを必要とする。あらゆる場合に、外部制御装置１０８は、ライン１２０として大まかに示すデータ入力／出力接続部を提供する。
【００３２】
次に、図３を参照すると、心臓Ｈ内に配置するためのカテーテル１０２は、様々な形態を取る。やはり、本発明の方法に使用される例示的なカテーテルの詳細な説明については、米国特許出願第１０／７３４４９０号「血行力学的パラメーターをモニタリングおよび処理するための方法およびシステム」（Ｍｅｔｈｏｄ  ａｎｄ  Ｓｙｓｔｅｍ  ｆｏｒ  Ｍｏｎｉｔｏｒｉｎｇ  ａｎｄ  Ｔｒｅａｔｉｎｇ  Ｈｅｍｏｄｙｎａｍｉｃ  Ｐａｒａｍｅｔｅｒｓ）を参照し、この出願は、上記のとおり、引用することにより本願に援用する。その他の実施態様では、その他のカテーテルを使用するか、および／または複数のカテーテルを同時に使用するか、または組み合わせて使用する。カテーテル１０２は、任意の適切な位置に配置することができる。図３では、カテーテル１０２は、大動脈を通って降下して心臓Ｈの左心室内に流入し、センサは、大動脈および左心室の両方に存在する。別法によると、カテーテルは、心臓の右側に配置され、センサは複数の心腔内に配置され、作動装置は大動脈、肺動脈または下大静脈などの中に配置することができる。したがって、カテーテル１０２は左心室内に示され、以下では左心室機能に関して説明する場合が多いが、本発明のカテーテル１０２およびシステム１００は、心臓および／または心臓を支持する構造の適切な部分に配置することができる。
【００３３】
カテーテル１０２は、一般に、センサおよび作動装置の任意の適切な組合せを備え、センサおよび作動装置は、カテーテル１０２に沿って任意の所望の位置に配置される。図３では、たとえば、センサは、流速センサ１３０、導電センサ１３１、線形アレイ上に配列された複数の圧力センサ１３２、複数の超音波変換器を有する回転立方体を備える超音波センサ１３４、および水中聴音器１３８を備える。また、カテーテルには作動装置が備えられ、この作動装置は、体積作動装置、圧力作動装置などを含む。体積作動装置は、１個または複数の注入ポート、１個または複数の流体吸入ポート、膨張可能なバルーン、これらの組合せなどを含む。実施態様によっては、１個または複数のサーミスタも備える場合がある。
【００３４】
本発明の方法は、一般に、心臓または心腔の特性を変化させる工程と、変化を測定する工程と、測定した変化に応じて変化するパラメーターを計算する工程とを含む。多くの場合、変化した特性は圧力もしくは体積の何れか、またはその両方であり、こうした変化は、一般に、カテーテル上の１個または複数の作動装置により誘発される。当然、特定の手順または方法では、複数の変化および／またはその他のタイプの変化が誘発および測定され、複数のパラメーターが計算される。こうして変化するその他のタイプの特性は、流速、酸素含有量、二酸化炭素などのその他の適切な気体の含有量、室または壁圧などの寸法、温度などが挙げられるが、これらだけに限らない。計算された１つまたは複数のパラメーターは、多くの場合、患者の心臓機能および性能に関する貴重な診断情報を提供し、医師が、正確な診断を下し、患者Ｐを薬学的に、デバイスの介入により、外科手術により、またはこれらを組み合せずに、またはこれらの組合せにより治療するかどうかなど、患者特有の治療を決定することを可能にする。
【００３５】
実施態様によっては、カテーテルシステムは、心臓周期全体の心臓の様々な特性を測定するために使用され、心室の体積および圧力を変化させて、この変化に対する即時かつ周期的な反応を測定する。いくつかの心筋特性は、作動手段に対する単一の点における反応、つまり１つのパラメーターの変化が、作動手段により誘発されたその他のいくつかのパラメーターの変化に占める割合により説明される。たとえば、室のコンプライアンスは、たとえば、心室体積の変化により誘発された心室内圧の即時的な変化である。さらに他の例である大動脈弁の勾配予備力は、最大大動脈流の位置で測定した最大大動脈弁横断圧力勾配の変化であり、この変化は、ＬＶＥＤＰの変更から生じる。その他の心臓特性は、２つの異なる「初期」条件の後の心臓の周期的な出力により表現される。これに関連して、「初期条件」は、心室が収縮を開始する時点である拡張期末における心室（またはその他の心腔）内に存在する条件として定義される。心臓予備力は、たとえば、ＬＶＥＤＰ内の増加により誘発される心拍出量の増加である。同様に、本発明の方法は、多数の心臓特性の「予備力」を駆動するために使用される。これに関連して、「予備力」は、誘導条件の変化による特性の変化を表す。
【００３６】
たとえば、一実施態様では、カテーテルは、左心室の圧力および体積をリアルタイムで測定するために使用される。カテーテルは、大動脈を通る血液の流速をリアルタイムで測定することも可能である。これらの測定結果から、カテーテルシステムは、拡張期末体積ＬＶＥＤＶ、左心室収縮期末圧力  ＬＶＥＳＰ、左心室拡張期末体積ＬＶＥＳＶ、サイクル時間（心拍）、時間の変化で除算した圧力の変化（ｄＰ／ｄｔ）、僧坊弁、および／または各々のサイクルの心臓の駆出分画を計算することができる。システムは、カテーテルにより感知されたデータに基づいて、左心室の圧力−体積ループを計算、表示および記録することもできる。任意の右カテーテルは、使用する場合、右心房および／または右側心室内圧を同時に測定することを可能にする。これらの測定では、システムは、各々のサイクルに関する肺血管抵抗（ＰＶＲ）および体血管抵抗（ＳＶＲ）を決定するために使用される。
【００３７】
本発明の方法は、一般に、心腔内の体積または圧力を変化させる工程も含む。こうした変化および変化の測定を行うことにより、様々な心臓パラメーターを測定して、正確な心臓の診断および特性化を促進することができる。一実施態様では、カテーテルは、心拡張時に心室に流体を追加して、拡張期末圧力および体積を増加するために使用される。別法により、または付加的に、心室内に配置されたバルーンは、心拡張時に膨張または収縮して、拡張期末圧力および圧力制御装置を調節することができる。もう１つの実施態様では、水中聴音器の送信機を使用して、心腔内の体積を変更する。水中聴音器などの作動装置は、水中聴音器などの作動装置は、毎秒１００回以上の迅速な速度で体積の変化を生じさせるために使用される。さらに他の実施態様では、上記の方法の１つに追加して、または単独で、心臓の後負荷が変更される。たとえば、大動脈内に配置された膨張可能なバルーンは、後負荷を増加するために膨張される。同様に、予荷重は、下大静脈または右心房内に配置された膨張可能なバルーンなどの装置を使用して変更される。最後に、心臓の初期条件は、様々な薬剤を血流中に注入するか、たとえば生理食塩水の袋を上昇させることにより患者を訓練するか、または一般に、通常の拡張期末体積未満の体積を有する前心室収縮（ＰＶＣ）、および一般に、通常の拡張期末体積を超え、収縮がより活発なＰＶＣ直後の周期を生じさせることにより薬学的に変更することができる。この後者の方法、つまりＰＶＣに対する心臓の反応は、周期ごとに１回拍出量を測定する能力の値を示す。多くの適切な方法は、心臓の一方または複数の心室内において体積および／または圧力の変化を生じさせて、有用な心臓パラメーターデータに達するために使用される。
【００３８】
心腔内において体積または圧力の変化を生じさせ、変化により生じるパラメーターの変化を測定し、変化に基づいてパラメーターを計算することにより、本発明の方法は、患者の心臓を定量的に特徴付けるのを促進するために使用される。たとえば、１回拍出量の増加が拡張期末圧力の増加に占める割合を計算することにより、システムは、心臓予備力の測定結果を計算する。もう１つの実施例では、心臓の増幅度と呼ばれるパラメーターは、１回拍出量の増加が拡張期末体積の増加に占める割合として測定される。さらにもう１つの実施例では、コンプライアンスの連続的な測定は、体積の変化により生じる圧力の変化の割合を計算することにより得られる。
【００３９】
上記のとおり、センサの適切な組合せは、本発明のカテーテルに沿って配置され、多くの適切な心臓パラメーターの何れかを測定する。たとえば、絶対圧力は、１個または複数のセンサにより測定される。こうした圧力センサは、たとえば、ある実施態様では少なくとも１００Ｈｚの周波数反応を有する。一実施態様では、少なくとも１個の圧力センサはカテーテルの遠位の端部に位置し、第２の圧力センサはカテーテル上に位置して、センサを大動脈弁に隣接して配置することを可能にし（カテーテルが左心室内に配置された場合）、第３の圧力センサは、患者の体外に配置されて、大気圧を検知する。その他の実施態様では、第３の大気センサは省略され、大気圧は、その代わりに外部の計算デバイス（インターフェース「ボックス」）上で測定されるか、追加のセンサが追加されるか、またはセンサの位置が変更されるなどが行われる。実施態様によっては、たとえば、１個または複数のセンサを使用して、呼吸時に変化する経胸腔圧を測定し、これは、タンポン充填を診断する時に特に重要であり、または比較的微細な大動脈弁の圧較差および大動脈弁と左心室内との圧格差を測定し、これは、大動脈弁狭窄症（ＡＳ）、肥大性閉塞性心筋症（ＨＯＣＭ）、および肥大性非閉塞性心筋症（ＨＮＯＣＭ）を区別して診断する場合に特に重要である。
【００４０】
左心室などの心腔の体積の測定は、様々なセンサおよび方法のどれでも行うことができる。一実施態様では、互いに直交して実装された６個の超音波変換器を備えるセンサを使用して、心臓が取る卵形の湾曲の直交する６個の半径を測定する。これらの測定は、心臓周期ごとに１回、または１秒ごとに複数回でも、心室体積の複数の概算を決定するために使用される。別法による実施態様は、位相アレイ超音波システムを使用して、心臓周期全体において心腔の軸に沿った複数の位置で心腔の断面積を測定し、テイラー（Ｔａｙｌｏｒ）の定理を使用して体積の測定結果を計算する。もう１つの実施態様は、既知の量の染料または導電性液体の放出を利用して、液体の濃度を測定して、希釈された血液の体積を概算する。さらに他の方法は、心室内の血液の導電性を測定する工程を含み、これは、一般にコンダクタンス体積記録法と呼ばれる。
【００４１】
本発明のカテーテルおよびシステムは、心拍出量を計算するために使用され、心拍出量は、多数の周期に関して平均される。こうした計算は、任意の適切な方法を使用して行われ、たとえば熱希釈、染料希釈、伝導希釈、または酸素消費量を使用するフィック（Ｆｉｃｋ）の方法が挙げられる。
【００４２】
測定されるもう１つのパラメーターは、血流速度、たとえば大動脈または１つまたは複数の肺動脈内の血流速度である。任意の適切な測定方法を使用することができ、剪断力測定、ピトー管法（停滞流対動的流）、ドップラー超音波、または開示されていないその他の任意の適切な方法が挙げられる。心臓周期全体の血流速度を統合することにより、システムは、各々の周期の１回拍出量を導くために使用され、次に、測定した心拍と共に周期ごとの１回拍出量を使用して、周期ごとの心拍出量を計算する。この心拍出量の周期ごとの値は、心拍出量測定システムを使用して校正される。
【００４３】
多くの実施態様では、カテーテルは、作動装置１０６を介して流体を導入および／または除去することにより、心腔内の体積および／または圧力を変更する能力を有する。実施態様によっては、流体は、心拡張時に導入および／または除去して、拡張期末圧力および／または体積を変化させることができる。その他の実施態様では、作動装置１０６は、心臓の周期全体で繰返し同量を迅速に膨張もしくは収縮するか、または導入および除去することができる。実施態様によっては、こうした迅速な導入／除去は、１００Ｈｚを超え、１０００Ｈｚ未満の速度で生じるが、その他の速度も本発明の範囲内で意図されている。一実施態様では、外部の体積作動装置１１０、たとえばポンプはカテーテル１０２と結合し、導入および／または除去機能を果たす。別法によると、外部作動装置１１０は、多量の流体を導入するか、または抜き取り、カテーテル上の作動装置１０６は、比較的高周波数変調を行う。
【００４４】
上記のとおり、デバイスおよび本発明の方法の様々な実施態様は、１個または複数の作動装置および１個または複数のセンサの任意の適切な組合せを含む。たとえば、１個の圧力センサ１０４と、外部作動装置１１０に結合された１個の作動装置１０６とを含むカテーテルを使用して、左心室収縮期末圧力の増加および左心室拡張期末圧力の増加を測定する。この測定は、心臓予備力を特性化するための１つの手段で、上記で圧力予備力と記載した手段を提供する。したがって、心臓パラメーターを測定および計算するための特定のシステム、デバイスおよび／または方法に関する上記および以下の説明は、何れの方法でも本発明の範囲を制限するものであると解釈すべきではなく、例示的な目的でのみ記載するものである。
【００４５】
作動装置１０６は、心臓周期の１つまたは複数の正確な時期に心腔内の圧力および／または体積を変更するために使用される。一実施態様では、作動装置１０６は、流体（気体または液体）を室内に、または室内から供給することにより、こうした変更を行う。供給は、作動装置１０６内の１個または複数の開口を介するなど、室内への流体の直接的な供給を含む。別法によると、流体は、膨張可能なバルーンまたは類似の構造を介して導入される。流体を供給および／または抜き取るタイミングは制御装置１０８により調整され、制御装置１０８は、１個または複数のセンサ１０４、任意のＥＣＧシステム１１２および／またはその他からのデータを使用する。制御装置１０８は、その他のディジタル信号処理、メモリおよび表示機能も実行する。表示装置は、１つまたは複数の新規なパラメーターを医師またはその他のユーザに提示するために使用され、こうしたパラメーターとしては、様々な特性および以下に記載する予備力パラメーターを含むが、これらだけに限らない。
【００４６】
心拍出量および心室内圧などの多くの既知の心臓パラメーターのほかに、カテーテルデバイスおよび本発明の方法は、以前に測定されなかったその他のパラメーターを測定する。次に、これらのパラメーターのいくつかをまとめる表（表１）を示す。その他のパラメーターも測定または計算することができ、たとえば、パラメーターの逆数、特定の室または弁に関するパラメーターの使用などが挙げられる。したがって、以下の表は網羅的ではない。
【００４７】
（表１）
【００４８】
【表１−１】
2006518249.tif 000001
【００４９】
【表１−２】
2006518249.tif 000002
【００５０】
【表１−３】
2006518249.tif 000003
本発明の原理に基づく心臓パラメーターを測定および計算するための方法のいくつかについて、以下で説明する。これらの方法は、添付の請求の範囲に記載するように、本発明により採用される方法の網羅的なリストではない。
【００５１】
（左心室拡張期末圧力（ＬＶＥＤＰ）、左心室収縮期末圧力（ＬＶＥＳＰ）および大動脈圧（ＡＯＰ）を決定する例示的な方法）
一実施態様では、カテーテル１０２は、左心カテーテル挿入手順に使用され、したがって、左心室に関連する心臓パラメーターを測定する。しかし、その他の方法は、心臓のその他の室に関して最適化され、その結果、心臓の他の３個の室の１つまたは複数のパラメーターを測定する。したがって、ＬＶＥＤＰおよびＥＤＰ（拡張期末圧力）は、この用途で交互に使用されることもあり、つまり、ＬＶＥＤＰは単にＥＤＰの一実施例だからである。
【００５２】
一実施態様では、ＬＶＰ（左心室内圧）は、微細加工された圧力センサであって、カテーテルに取り付けられて、左心室内に導入される圧力センサを使用して測定される。別法による実施態様では、外部圧力センサは、カテーテル内の内腔により、左心室の体液に水力学的に連結される。同様に、ＡＯＰは、いくつかの実施態様では、カテーテルに取り付けられた第２の微細加工圧力センサを使用して測定される。別法による実施態様では、ＡＯＰは、第１の微細加工センサか、または大動脈に水力学的に連結された外部圧力センサを使用して測定される。
【００５３】
ＬＶＥＤＰを決定する１つの方法は、左心室体積（ＬＶＶ）が最大である時、つまり心室がほぼ収縮している時点の左心室内圧（ＬＶＰ）を記録することである。別法による方法は、心電図（ＥＣＧ）のＱ−Ｒ−Ｓ複合体の「Ｒ」波でＬＶＰを記録する工程を包含する。もう１つの別法による方法は、左心室内圧を連続的にモニタリングし、パターン認識アルゴリズムを使用して、適時の変化で除算された圧力の変化がゼロ（ｄＰ／ｄｔ＝０）に等しく、ｄＰ／ｄｔが最大になる直前のｄ２Ｐ／ｄｔ２が＞０である時の圧力を発見する工程を包含する。ＬＶＥＤＰを決定するためのさらに他の別法による方法は、「第１」心音「Ｓ１」が停止した時の圧力を測定することであり、これは、僧坊弁が閉鎖した時に生じる。心音を得るには、圧力センサを使用して毎秒約２０００回（またはその他の任意の周波数）で圧力信号を抽出し、血圧の増加に対応する比較的低周波数成分を濾波する。別法によると、カテーテルは、弁から発信する音響信号、分路を生じる心臓内欠陥、逆流性傷害などをモニタリングするための専用の水中聴音器を使用する。
【００５４】
ＬＶＥＳＰを決定する１つの方法は、ＬＶＶが最低である時のＬＶＰを記録することであり、これは最低左心室体積の点である。ＬＶＥＳＰを決定するもう１つの方法は、大動脈内の血流速度が、最大正数に達した後に最初にゼロになる時のＬＶＰを記録することであり、これは、血液が大動脈内に流入するのを停止する点である。これらの２つの値の間の著しい差は、大動脈弁が閉鎖した後、僧坊弁逆流（または分路を通って右側に至る流れ）を定量化することを可能にする。別法による方法は、ＥＣＧ上の「Ｔ」波がちょうど終了した時のＬＶＰを記録することである。これらの３つの方法で測定した圧力は、ほぼ同じ結果を与えるはずであり、したがって、相違の比較は、生理学的異常性を指示するのに役立つ。もう１つの別法による方法は、逆流分画する工程を包含する。
【００５５】
（左心室拡張期末体積を決定するための方法）
ＬＶＥＤＶを決定するために現在使用されている１つの方法は、心臓の１つまたは複数のＸ線画像、および電子カーソルを使った心室周囲の手動描画を使用する。次に、これらの輪郭は、拡張期末における心臓体積の概算を計算するための実験に基づく公式と関連して使用される。この技術は厄介かつ時間がかかるため、多数の拡張期末体積を概算する点では実行不可能である。さらに、心臓のわずか１つまたは２つの投影を使用するにすぎないため、この測定では、重大な誤差が考えられる。さらに、体積を計算するためのこうした技術に使用される公式は、真の体積を正確に反映するわけではない。
【００５６】
もう１つの現在使用されている技術は、外部超音波変換器を使用して、全体の心臓を撮像し、体積の測定も行う。これは、かなり正確な技術であるが、超音波変換器は体外にあるため、圧力を測定し、拡張期末圧力を変化させることを同時に行うことはできない。さらに、すべての患者が、経胸腔的に超音波撮像システムに敏感に反応する生体構造を有するとは限らない。にも関わらず、この方法は、体積測定機能を備えないカテーテルと組み合わせて（同時に）使用することができる。
【００５７】
本発明の一実施態様では、心腔などの体腔の体積を測定する方法は、図１０に示すように、互いに直交して実装される６個の超音波変換器の使用を伴う。２個の変換器は、カテーテルと平行に実装され、カテーテルの軸に垂直な距離を測定する。他の４個の変換器は、第１対のセンサから軸方向に９０°回転する表面であって、さらに上方または下方に４５°傾斜する表面上に対として実装される。したがって、後者の４個の変換器は、互いにすべて直交する４方向に、変換器と心腔壁との間の距離を測定する。この構成を表すもう１つの方法は、各々が立方体の面上に実装された６個の変換器の構成である。次に、立方体は、１つの面の周囲で約４５°回転し、カテーテル本体上に実装される。カテーテルの製造を容易にし、しかもスリムな輪郭を維持するには、立方体は「分解」することができ、つまり変換器の対は必ずしも隣接する必要はない。変換器組立体は、膨張可能または拡張可能な組立体の一部でもあり、測定時に多少は心室内に投影される。
【００５８】
心室体積を測定するための別法による方法は、カテーテル周囲に円形電極、つまりリングを備える位相アレイ超音波撮像システムを使用することである。これらのリングは、互いにわずかに位相不一致状態で励起され、波をカテーテルの垂線に対して上または下に送信する。リングに帰る信号は、カテーテルからリングの様々なセグメント内の心室壁までの距離に応じて、時間の経過と共に配信される。したがって、反射信号の経時的な振幅は、カテーテルと心腔壁との間の様々な半径方向距離に対応する。非常に短期間で、法線から様々な角度で多数の測定を行う時に、システムは心室の複数回の断面積測定を行い、これらの結果は、体積を概算するためのテイラーの方法（外部の超音波アレイを使用して行われる方法に類似）を使用して加算される。心室体積を測定するさらに第３の方法は、平行な各々の対が互いに垂直な２対の平面位相アレイセンサを使用することであり、その結果、カテーテルの４つの側部には、位相アレイ変換器が実装される。各々のセンサは、上記のとおり、壁部までの距離を測定し、変換器からある一定の角度で、心室壁部までの４つの半径を測定する。
【００５９】
ＬＶＥＤＶを概算する１つの方法は、ＬＶＶが最大である時点で、上記の方法のどれかを使用してＬＶＶを測定して記録することである。別法による方法では、カテーテル上の電気コンダクタンスセンサのアレイは、心室内血液の平均コンダクタンスを決定するために使用される。既知および異なる導電性を有する液体の体積は、心拡張時に左心室内に分散する。拡張期末時、および心収縮期時では、心室内の伝導性がモニタリングされる。これらの測定は、心室内血液の希釈された電気コンダクタンスの概算を生成する。次に、注入血液の体積（ＶＩ）、注入血液の電気コンダクタンス（ｋＢ）、および希釈血液のコンダクタンス（ｋＤ）が分かると、以下の方程式を使用して拡張期末体積を計算することができる。
【００６０】
【化１】
2006518249.tif 000004
拡張期末体積を概算するもう１つの方法は、カテーテル上の温度センサのアレイを使用して、血液の温度を決定することである。比較的低温の多量の血液は、心拡張時に心室内に注入される。希釈剤の温度は、精度を改善するために、希釈剤がカテーテルを出て行く直前に測定される。次に、注入血液（ＶＩ）、血液の比熱（ＣＢ）、希釈剤の比熱（ＣＩ）、血液の非希釈温度（ＴＢ）、希釈剤の温度（ＴＩ）および拡張期末（ＴＤ）における希釈血液の平均温度が分かると、拡張期末体積（ＶＤ）は、以下の式により与えられる。
【００６１】
【化２】
2006518249.tif 000005
もう１つの実施態様では、拡張期末体積を概算する方法は、光源のアレイ、およびおそらく光ファイバを含む光センサを使用する。既知の濃度の染料を含む溶液の体積は、心拡張時に心室内に注入されて分散する。血液中の染料の濃度は、吸収または蛍光技術を使用して測定される。染料は、液体、気体、その他の流体などのマーカーである。蛍光技術は、たとえば、１波長の光を血液中に照射し、異なる（蛍光）波長で光の強度を検出することを含む。血液中の染料の濃度は、励起光の強度に対する蛍光灯の強度の割合の一次関数である。次に、注入血液（ＶＩ）、非希釈血液の濃度（ＤＢ）、希釈剤中の染料の濃度（ＤＩ）、および拡張期末における希釈血液中の染料の平均濃度（ＤＤ）、拡張期末体積（ＶＤ）は、以下の式により与えられる。
【００６２】
【化３】
2006518249.tif 000006
その他の実施態様では、流体を心室に導入することなく、拡張期末体積を決定すると有益である。実施態様によっては、拡張期末体積または拡張期末圧力を静止値から減少させるとさらに有益である。そのため、カテーテルは、少なくとも希釈剤と同じだけの体積を維持することが可能なバルーンを備える（熱、伝導性もしくは染料希釈剤、または上記の方法のように、超音波を使用して体積を測定する場合は不要）。バルーンは、前の周期の心収縮相において心室内で最初に膨張し、対応する量の血液を心室から駆出するのを促進する。拡張期末体積に影響を与えずに拡張期末体積を決定するため、バルーンは、同時に心室内に注入された希釈剤の体積に等しい体積だけ、同時にかつ完全に心拡張時に収縮する。したがって、バルーンが収縮する時、希釈剤は、心室内の圧力を増減しない状態で心室内に追加される。拡張期末体積および／または拡張期末圧力を静止状態から減少させ、拡張期末体積を決定することは有益である。これは、心収縮相で、または反復周期の場合は、大動脈弁が閉鎖された直後に、最初のバルーンの膨張により行われる。次に、心室の拡張期充満時に、ある量の希釈剤が心室内に分散される。バルーンは、希釈剤の体積を超える体積だけ、同時にかつ完全に収縮し、拡張期末圧力および体積を減少させる。拡張期末体積は、上記の希釈方法のどれかを使用して決定される。一実施態様では、１個または複数の超音波変換器は、心室体積を連続的に測定するために使用され、バルーンは心収縮期で膨張し、心拡張時に収縮して、拡張期末圧力および／または体積を減少させる。
【００６３】
（収縮期末体積を決定するための方法）
ＬＶＥＳＶを測定するための１つの方法は、ＬＶＶが最低の時に、連続体積測定システムの１つを使用して、ＬＶＶを記録することである。ＬＶＥＳＶを測定するための別法による方法は、大動脈流速が最大の後に最初にゼロになった時のＬＶＶである。これらの２つの記録の体積の差は、僧坊弁逆流と、大動脈弁が閉鎖した後の左から右への分流との組合せに等しい。
【００６４】
（駆出分画を決定するための方法）
駆出分画は、拡張期末体積と収縮期末体積との差が拡張期末体積に占める割合として定義される。この計算は、ＥＤＶおよびＥＳＶを測定する上記の方法の何れかを使用して行われる。
【００６５】
（１回拍出基準での心拍出量、心係数、１回拍出量および１回拍出量係数）
一実施態様では、血流速度または流速センサはカテーテルに結合され、大動脈内に挿入される。このセンサは、毎ミリ秒に約１回など、定期的な間隔で血流速度を抽出し、情報を制御装置またはその他のプロセッサに伝達する。次に、制御装置は、１秒間（または、次の工程を代表するその他のある類似期間）に取得した指示値を平均することにより平均血流速度を決定する。当該抽出時に、心拍出量は、許容される方法の１つを使用して個々に測定され、こうした方法としては、酸素消費量を使用するフィックの法則、または希釈法（熱希釈、コンダクタンス希釈、もしくは気体、その他の流体、液体、染料などのマーカーによる希釈）が挙げられる。グロスマン（Ｇｒｏｓｓｍａｎ）の「心臓カテーテル挿入法および血管造影法」（Ｃａｒｄｉａｃ  Ｃａｔｈｅｔｅｒｉｚａｔｉｏｎ  ａｎｄ  Ａｎｇｉｏｇｒａｐｈｙ）ｐｐ．１０１〜１１７は、これらの方法について詳細に説明している）。こうして測定される心拍出量は、平均速度または流速で除算され、拡大縮小係数を決定する。この係数は、速度または流速センサ付近の大動脈断面が、抽出周期および後続の周期で合理的に一定であることを前提とする。血流速度または流速を測定する多くの異なる方法が可能であり、たとえば熱希釈、剪断力測定、ピトー管法（停滞流対動的流）、超音波、ドップラーおよび／または任意のその他の適切な方法が挙げられる。倍率を決定したら、ある特定の周期について１回拍出量を決定し、この１回拍出量は、倍率と、当該周期の速度の積分との積に等しい。１回拍出時間も、後続の拡張期末事象間の期間として計算する。次に、心拍出量は、１回拍出時間における１回拍出量間の割合として計算され、正しい単位に調節される。心係数は、体表面積（ＢＳＡ）で除算した心拍出量であり、患者の身長および体重に基づく既知の値である。１回拍出量係数は、ＢＳＡで除算した１回拍出量である。
【００６６】
（心臓予備力および心臓予備力係数）
一実施態様では、心臓予備力を測定する方法は、先ず、ある心臓周期の開始時にＬＶＥＤＰおよび／またはＬＶＥＤＶを測定し、次に当該周期時に、上記の方法を使用して心拍出量を測定する。この測定は、任意の回数だけ繰り返すことができ、複数のデータの対（ＬＶＥＤＰ、ＣＯ）を取得することができる。次に、ある量の流体は、心拡張期間中に左心室内に注入され、拡張期末圧力が記録される。当該周期の心拍出量は上記の方法を使用して記録され、新たなデータ点（ＬＶＥＤＰ、ＣＯ）が記録される。このプロセスは、データの対の集合（ｎ＞＝２）を生成するのに必要なだけ繰り返される。次に、最小二乗技術を用いて、データ点を通る回帰線を決める。この線の勾配は、心臓予備力に等しい。心臓予備力係数は、ＢＳＡで除算した心臓予備力に等しい。
【００６７】
（１回拍出予備力および１回拍出予備力係数を決定するための方法）
心臓予備力を測定する１つの方法は、最初にＬＶＥＤＰおよび１つの心臓周期の開始を測定し、次に、上記の方法を使用して当該周期中の１回拍出量を測定することである。この測定は、任意の回数だけ繰り返すことができ、複数のデータの対（ＬＶＥＤＰ、ＳＶ）を取得することができる。次に、心拡張期間中に、ある量の流体を左心室内に注入し、結果として得られる拡張期末圧力を記録する。当該周期の１回拍出量は、上記の方法を使用して記録し、新たなデータ点（ＬＶＥＤＰ、ＳＶ）を記録する。このプロセスは、データの対の集合（ｎ＞＝２）を生成するのに必要なだけ繰り返される。次に、最小二乗技術を用いて、データ点を通る回帰線を決める。この線の勾配は、１回拍出予備力（ＳＲ）に等しい。１回拍出予備力係数（ＳＲＩ）は、ＢＳＡで除算したＳＲに等しい。
【００６８】
（心筋仕事量、心筋仕事量係数、心筋仕事量予備力、心筋仕事量予備力係数を決定するための方法）
心筋仕事量（ＭＹＷ）は、単一心臓周期時に、心臓内の血液に対して心筋が行う仕事量から成る。これは、ＶがＶ（最大）からＶ（最小）に変化する時の圧力およびｄＶの積分から、ＶがＶ（最小）からＶ（最大）に変化する時の圧力およびｄＶの積分を差し引いた値として数学的に定義される。したがって、これは、心臓組織が心収縮期時に行う仕事量から、心拡張時に人体が心臓組織に対して行う仕事量を差し引いた値である。したがって、心筋仕事量は、体積が圧力と体積の積分から減少し、体積が増加する時の圧力と体積との積分間の差として表現される。
【００６９】
【化４】
2006518249.tif 000007
心筋仕事量係数（ＭＷＩ）は、ＢＳＡで除算した心筋仕事量に等しい。
【００７０】
実施態様によっては、第１モーメントの仕事量を計算することも有益であり、これは最適化の点でも有益であると思われる。第１モーメントの仕事量は、以下のように計算する。
【００７１】
【化５】
2006518249.tif 000008
心筋仕事量係数（ＭＷＩ）は、ＢＳＡで除算した心筋仕事量に等しい。
【００７２】
一実施態様では、心筋仕事量予備力は、先ず特定心臓周期のＬＶＥＤＰを記録し、次に当該周期時の心筋仕事量を計算することにより計算される。この測定は任意の回数だけ繰り返すことができ、複数のデータの対（ＬＶＥＤＰ、ＭＹＷ）を取得することができる。次に、ある量の流体は、心拡張期間中に左心室内に注入され、結果として得られる拡張期末圧力が記録される。当該周期の心筋仕事量は、上記の方法を使用して記録され、新たなデータ点（ＬＶＥＤＰ、ＭＹＷ）が記録される。このプロセスは、データの対の集合（ｎ＞＝２）を生成するのに必要なだけ繰り返される。次に、最小二乗技術を用いて、データ点を通る回帰線を決める。この線の勾配は、心筋予備力に等しい。心筋予備力係数（ＭＲＩ）は、ＢＳＡで除算した心筋予備力に等しい。
【００７３】
（１回仕事量、１回仕事量係数、１回仕事量予備力、１回仕事量予備力係数および心臓効率を決定する方法）
１回仕事量（ＳＷ）は、一般に、左心室が循環系に対して行う仕事量と定義される。この関係は、図４Ａおよび図４Ｂに図形で表示する。本発明の一実施態様では、１回仕事量は、大動脈内に駆出される体積と、心室により増加する圧力との積の積分を計算して決定される。実施態様によっては、平均充填圧力は、心収縮期時に決定され、心室内圧から減算される。次に、この差には、大動脈内に流れる血液の量を乗算する。次に、この積を単一の１回拍出上に積分し、１回仕事量を計算する。
【００７４】
【化６】
2006518249.tif 000009
したがって、ＳＷは心筋仕事量とは区別することが可能である。これらの２つのパラメーターの相違は、逆流が測定結果にどのように影響するかとう相違である。心筋仕事量は、心筋が行う仕事量を測定し、ＳＷは、心臓が循環系に対して行う仕事量を測定する。心臓効率（ＣＥ）は、本発明により測定されるさらにもう１つのパラメーターであり、心筋仕事量に対するＳＷの割合として定義され、心臓が心筋仕事量を１回仕事量に変換する効率の測定基準である。このパラメーターは、たとえば、両室ペーシングデバイス、薬学的介入およびその他の介入により、それぞれの性能を最適化するために使用される。
【００７５】
別法による実施態様では、１回仕事量は、大動脈圧と大動脈流速との積の積分から、左心房圧と僧坊弁を通る流速との積の積分を差し引いた値である。上記の２つの方法の何れかでは、１回仕事量係数は、ＢＳＡで除算した１回仕事量に等しい。計算の類似の集合は右心室に関して可能であり、この場合、１回仕事量は、肺動脈内の圧力の積の積分に肺動脈内に流入する収縮期体積を乗じた値から、右心房圧力の積分に、右心室内に流入する拡張期体積を乗じた値を差し引いた値である。
【００７６】
実施態様によっては、１回仕事量予備力は、先ず特定の心臓周期のＬＶＥＤＰを記録し、次に当該周期における１回仕事量を計算することにより計算する。この測定は任意の回数だけ繰り返すことができ、複数のデータの対（ＬＶＥＤＰ、ＳＷ）を取得することができる。次に、予め決められた量の流体を心拡張期間に左心室内に注入し、結果として得られる拡張期末圧力を記録する。当該周期の１回仕事量は、上記の方法を用いて記録され、新たなデータ点（ＬＶＥＤＰ、ＳＷ）が記録される。プロセスは、データの対の集合（ｎ＞＝２）を生成するのに必要なだけ繰り返される。次に、最小二乗技術を用いてデータ点を通る回帰線を決める。この線の勾配は、１回仕事量予備力（ＳＷＲ）に等しい。１回仕事量予備力係数（ＳＷＲＩ）は、ＢＳＡで除算したＳＷＲに等しい。
【００７７】
（心臓の増幅度を決定するための方法）
心臓の増幅度（ｃａｒｄｉａｃ  ａｍｐｌｉｆｉｃａｔｉｏｎ）（ＣＡ）は、拡張期末体積の限界増加による１回拍出量の限界増加として定義される。一実施態様では、心臓の増幅度は、先ず特定の心臓周期のＬＶＥＤＶを記録し、次に当該周期における１回拍出量を計算することにより計算される。この測定は任意の回数だけ繰り返すことができ、複数のデータの対（ＬＶＥＤＰ、ＳＶ）を取得することができる。次に、ある量の流体は、心拡張時に左心室内に注入され、結果として得られる拡張期末体積が測定される。当該周期の１回拍出量は、上記の方法を使用して測定され、新たなデータ点（ＬＶＥＤＰ、ＳＶ）が記録される。このプロセスは、データの対の集合（ｎ＞＝２）を生成するのに必要なだけ繰り返される。次に、最小二乗技術を用いて、データ点を通る回帰線を決める。この線の勾配は、心臓の増幅度に等しい。
【００７８】
（弁勾配、弁勾配予備力、弁面積、弁面積予備力、弁閉鎖不全、弁閉鎖不全予備力、および弁抵抗）
一実施態様では、弁圧力勾配（ＶＧ）は、２個の圧力センサを使用して直接測定され、大動脈弁圧力勾配の場合のように、一方のセンサは心臓の上流にあり、他方のセンサは心臓の下流にある。もう１つの実施態様では、ＶＧは、僧坊弁の場合のように多少間接的に測定され、上流の圧力は、既知の肺毛細管楔入圧を使用して測定され、下流の圧力は左心室内で測定される。どちらの場合も、弁を横断する圧力勾配は、適切な充填期間全体で測定され、弁を通る流れは同時に決定される。大動脈弁の場合、弁を通る流れは、大動脈内の上記の目盛り付き速度センサを使用して測定され、流れは、心室体積の拡張期変化から、大動脈内の目盛り付き速度センサにより測定した逆流大動脈流を差し引いた値として測定される。充填期間全体で、複数のデータの対は、（ΔＰ、Ｑ）の形態で記録され、ΔＰは圧力勾配、Ｑは弁を通る瞬間体積流速である。ある周期における最大圧力勾配（ΔＰ）および平均圧力勾配は、当該周期に関してＶＧとして記録される。
【００７９】
周期−弁閉鎖不全（ＶＲ）で弁を通る全体の逆流は、ある周期における逆体積流速の積分として計算される。大動脈、肺または尖弁逆流の場合、この流れは、目盛り付き速度センサの出力を使用して直接決定され、ある周期におけるすべての負の体積流速の区分積分である。僧坊弁の場合、逆流は、１回拍出量（目盛り付き速度センサを使用して大動脈内で測定）を、最大および最小左心室体積から減算して決定される（ＬＶＥＤＶ−ＬＶＥＳＶ）。したがって、僧坊弁逆流は、分路が存在しない場合、ＬＶＥＤＶ−ＬＶＥＳＶ−ＳＶに等しい。実施態様によっては、僧坊弁閉鎖不全症の測定は、存在する大動脈逆流内の因数分解を含む。１回拍出量の計算は、逆流（拡張期）大動脈流を特定の周期で大動脈中に区出される血液全体の量から減算する工程を包含する。実施態様によっては、僧坊弁閉鎖不全症を比較的正確に行うために、大動脈逆流の量は逆に追加される。したがって、ＭＲ＝ＬＶＥＤＶ−ＬＶＥＳＶ−ＳＶ＋ＡＲであり、ここで、ＭＲは正味収縮期僧坊弁逆流で、ＡＲは正味（拡張期）大動脈逆流である。
【００８０】
弁の有効面積を計算するには、一実施態様は公知の公式を使用する（ゴーリン公式  −  グロスマン（Ｇｒｏｓｓｍａｎ）の「心臓カテーテル挿入法および血管造影法」（Ｃａｒｄｉａｃ  Ｃａｔｈｅｔｅｒｉｚａｔｉｏｎ  ａｎｄ  Ａｎｇｉｏｇｒａｐｈｙ）ｐ．１４３参照）。公知の公式を使用すると、心拍出量などの平均流速、および平均圧力勾配は、平均オリフィス面積を計算するために使用される。したがって、この実施態様は、これらの平均値を使用して、有効弁面積を計算する。平均僧坊弁面積（ＭＭＶＡ）の方程式は、
【００８１】
【化７】
2006518249.tif 000010
であり、ここで、ＣＯは心拍出量、ｃｃ／分、ＨＲは拍動／分、ＤＦＰは充填期間、秒／拍動、ΔＰは僧坊弁を横断する平均圧力勾配、ｍｍＨｇである。この技術は、流速および圧力勾配の瞬間測定を使用することにより、弁面積のリアルタイムで概算することを可能にする。したがって、僧坊弁面積（ＭＶＡ）は
【００８２】
【化８】
2006518249.tif 000011
であり、ここで、Ｑは、適時に何らかの点において弁を通る体積流速であり、ΔＰは、ほぼ同一点における適時の流体勾配である。（この圧力勾配は、一般に、右心臓カテーテルを使って測定され、肺毛細管楔入圧と左心室内圧との間の差である）。ゴーリン（Ｇｏｒｌｉｎ）の修正およびオリジナルのこの方程式を使用すると、オリフィス直径を時間の関数として測定することが可能である。
【００８３】
類似の方程式は、大動脈弁に関して見られる：平均大動脈弁面積（ＭＡＶＡ）は
【００８４】
【化９】
2006518249.tif 000012
であり、ここで、ＳＥＰは収縮期駆出期間であり、ΔＰは、この場合は大動脈弁を横断する圧力勾配である。同様に、大動脈弁面積（ＡＶＡ）のリアルタイムでの測定は、
【００８５】
【化１０】
2006518249.tif 000013
であり、ここで、Ｑは、大動脈内の目盛り付き速度センサを使用して測定した大動脈を通る瞬間体積流速である。
【００８６】
一実施態様では、心拍出量の増加に応じた上記のパラメーター（逆流、弁面積および圧力勾配）の変動を測定する。こうした変動を測定する１つの方法は、先ず特定の心臓周期におけるＬＶＥＤＰを測定する工程を包含する。当該周期の終わりに、弁に関連する追加のパラメーター、たとえば弁閉鎖不全（ＶＲ）、弁面積（ＶＡ）および弁圧力勾配（ＶＧ）を測定する。任意の回数のこうした周期を記録し、複数の測定結果を互いに平均する。連続する心臓周期では、ある量の流体が、心拡張時に左心室内に導入されて拡張期末圧力を増加させ、一般に（必ずというわけではない）、比較的高い心拍出量で（比較的高いＬＶＥＤＰから生じる）、結果として得られる値を再び測定する。こうして、複数のデータ集合を生成する。弁勾配予備力（ＶＧＲ）を得るために、最小二乗法を使用して、複数のデータの対間の線を決定する。この曲線の勾配はＶＧＲである。心拍出量が２倍になると、圧力勾配は４倍になり、したがってＶＧＲは、心拍出量の増加に応じて増加すると予想される。それにも関わらず、ＶＧＲは、ＬＶＥＤＰの対応する範囲内のＬＶＥＤＰの増加に応じた勾配の限界増加を表す。
【００８７】
様々な実施態様では、弁面積予備力（ＶＡＲ）は、様々なデータ対（ＬＶＥＤＰ、ＶＡ）間の線を決定するための最小二乗法を使用して得られる。線を決定する勾配はＶＡＲであり、これは、ＬＶＥＤＰ内の限界増加限界増加による弁面積の限界増加を表す。有効面積が心拍出量の増加と共に減少するいくつかの患者Ｐの母集団（いくつかの疾病状態）が存在し、この値は、このクラスの患者の場合は負である。
【００８８】
同様に、弁閉鎖不全予備力（ＶＲＲ）は、様々なデータ対（ＬＶＥＤＰ、ＶＲ）間の線を決定するための最小二乗法を使用して得られる。この線の勾配はＶＲＲであり、これは、ＬＶＥＤＰの限界増加による弁閉鎖不全の限界増加を表す。こうした「予備力」の測定は、ＬＶＥＤＰの代わりに心拍出量（またはＬＶＥＤＶ、またはその他の何らかの変数）に対して行うことができる。これらの「予備力」測定は、ＬＶＥＤＰの代わりに心拍出量（またはＬＶＥＤＶ、またはその他の変数）に関して行われる。
【００８９】
（フランク−スターリング曲線を生成する方法）
フランク−スターリング曲線（Ｆ−Ｓ）は、文献に多くの定義が見られる。これらの定義は、一般に、左心室拡張期末体積（ＬＶＥＤＶ）または左心室拡張期末圧力（ＬＶＥＤＰ）の変化による左心室の血行力学的出力の変化に関連する。最も一般的なタイプのＦ−Ｓ曲線は、心拍出量対ＬＶＥＤＰ、心拍出量対ＬＶＥＤＶ、１回仕事量対ＬＶＥＤＰ、１回仕事量対ＬＶＥＤＶ、および  ＬＶＥＳＰ／ＬＶＥＤＰ対ＬＶＥＤＶである。
【００９０】
実施態様によっては、Ｆ−Ｓ曲線は心拍出量（ＣＯ）を縦軸に、ＬＶＥＤＰを横軸に置く。カテーテルシステムは、１つまたは複数の心臓周期の開始時にＬＶＥＤＰを記録し、次に、対応する各々の周期の終了時にＣＯを計算する。膨張可能なバルーンの流体を導入および／または除去（つまり、体積を増加または減少）することにより、システムは、拡張期末圧力を新たな値に調節し、その値を測定する。システムは、次に、当該周期の結果として得られる心拍出量を計算する。数回の心臓周期についてこのプロセスを繰り返し、各々のプロセスで異なるＬＶＥＤＰを開始点として使用することにより、医師が見られるように、ＣＯ対ＬＶＥＤＰのグラフを作成し、記録および表示する。
【００９１】
その他の実施態様では、心拍出量対ＬＶＥＤＶを表すＦ−Ｓ曲線を作成する。上記の方法はどれも、１回拍出基準でＣＯを測定し、１回拍出基準でＬＶＥＤＶを測定するために使用される。次に、心拡張時に流体の量を心室に導入および／または心室から抜き取ることにより、心臓の１回または複数回の周期についてＬＶＥＤＶを変更することができる。心臓の開始体積を減少させて、たとえば予荷重の減少をシミュレートする場合、バルーンをカテーテルに取り付けて、前の心臓周期の心収縮相で膨張させる。次に、バルーンを心拡張時に収縮させて、予荷重の減少をシミュレートする。
【００９２】
Ｆ−Ｓ曲線のもう１つの変形は、上記で定義した心筋仕事量（ＭＹＷ）または１回仕事量（ＳＷ）の何れかを縦軸に、ＬＶＥＤＰを横軸に置くことである。２回の測定の差は、左心室に関する弁疾病の重要な指標である。ＣＯ対ＬＶＥＤＰに関して上記で説明した方法に類似する方法では、このシステムは、各々のＬＶＥＤＰのＭＹＷおよびＳＷを同時に計算するために使用される。ＭＹＷに対するＳＷの割合である心臓効率（ＣＥ）も計算および表示され、心臓効率が、増加するＬＶＥＤＰのレベルで、おそらく増加する心拍出量のレベルに応じて、どのように変化するかを示す。
【００９３】
一実施態様では、ＣＯ対ＬＶＥＤＰ曲線を作成するために、リアルタイム心拍出量センサは、大動脈内に存在するようにカテーテルに結合する。このリアルタイムセンサは、心拍出量を測定するために認められたいくつかの方法の１つまたは複数を使用して、たとえば酸素消費量に基づくフィックの方法、または希釈法を使用して校正される。ＣＯセンサは、各々の周期で左心室から駆出される血液の体積を測定するために使用される。同時に、カテーテル上のもう１つのセンサは、左心室内の圧力を測定する。心拡張時、カテーテルシステムは、生理食塩水またはその他の流体を左心室内に導入し、結果として得られるＬＶＥＤＰを測定する。次に、心臓がその周期を完了すると、ＣＯセンサは、周期における心臓の出力を測定する。その結果、１個の点をＣＯ対ＬＶＥＤＰ曲線上に表す。ある期間後、心拡張時に生理食塩水またはその他の液体を左心室内に注入することにより、第２の点を曲線上に描く。次に、当該周期で心拍出量およびＬＶＥＤＰを測定して、第２の点を描く。後続の周期で、必要に応じて様々なＬＶＥＤＰ条件を形成して、追加の点を作成する。
【００９４】
もう１つの実施態様では、上記の方法に類似する方法を使用して、１回仕事量の異なる定義に基づくＦ−Ｓ曲線を作成する。１回仕事量は、心拍出量と同時に（または、ほぼ同時に）計算される（つまり、同一周期で）。用いられる１回仕事量の１つの定義は、単一周期における圧力および１回拍出量の積の積分である。もう１つの定義は、心室の体積の変化を使用して、心臓が行う仕事量を決定する。しかし、この後者の測定は、僧坊弁に対して逆行する逆流をポンピングするのに必要な仕事量、および逆流性の大動脈流に無関係の仕事量を含む。その他の実施態様では、１回仕事量は、大動脈内に駆出された血液の体積に心室と大動脈との間の圧力勾配を乗じた積である。大動脈内に駆出される血液の体積は、血流速度センサにより測定され、圧力勾配は、２個の圧力センサ間の差を使用して測定され、一方の圧力センサは心室内にあり、他方は速度センサ付近の大動脈内にある。
【００９５】
上記のとおり、本発明の多くの実施態様によるカテーテルは、心拡張時など、ある心臓周期の所望の時に、ある量の流体（生理食塩水、ブドウ糖、またはその他の適切な流体）を心室に導入するか、および／または心室から抜き取ることにより、拡張期末圧力および／または体積を達成するための手段を備える。一実施態様では、流体の導入は、コンピュータまたはその他のデータプロセッサなどの制御装置からの制御信号を使用して、カテーテルに結合されたポンプなどの外部作動装置を駆動することにより行われる。流体の導入および／または抜取りのタイミングは、心腔内の圧力センサを介して行われる測定に基づく。こうした測定は、任意の適切な間隔で行われるか、実施態様によっては、約１０００Ｈｚの速度で行われる。
【００９６】
（圧力／体積ループを生成する方法）
次に、図４〜図９を参照すると、本発明の一実施態様により生成されて任意に表示される情報を示す。この情報は「圧力−体積ループ」と呼ばれ、こうした情報は、様々な形態で表示される。一実施態様では、カテーテルは、腔内圧力および体積を同時に、またはほぼ同時に測定することにより、圧力−体積ループを生成するために使用される。体積は、上記で詳細に述べたように、たとえば直交するように方向付けられた６個の超音波変換器を使用して測定される。図１０および図１１を参照すると、カテーテル１０２上のこうした６個の変換器デバイス１６２などの一実施態様を示す。図１１に矢印で指示するように、６個の変換器は、変換器デバイス１６２から心腔の内壁上の様々な位置までの６つの距離を測定するために使用される。これらの６つの距離は、内接する卵形に対する曲率半径を表す。１個または複数の位相アレイ変換器は、別法により、体積を測定するために使用される。一実施態様では、複数の位相アレイ変換器は、少なくとも２個が、カテーテルの軸の周囲に軸方向に配列される。もう１つの実施態様では、４個の位相アレイセンサが、カテーテルの周囲に軸方向に配列される。
【００９７】
圧力は、腔内（つまり、図１１の左心室だが、その他の適切な心腔またはその他の腔も考えられる）に配置された１個または複数の圧力センサからの指示値を使用して測定される。実施態様によっては、心腔内に使用される圧力センサは絶対圧力センサを備え、したがって、周囲圧力を抽出する圧力センサも、ゲージ圧力の計算を可能にするために使用されることが多く、ゲージ圧力の計算は、殆どの医師が熟知している。ゲージ腔内圧力は、絶対腔内圧力から絶対周囲圧力を差し引いた値から成る。様々な実施態様では、周囲絶対圧力センサは、体外でカテーテルに結合されるか、その代わりかまたは付加的に、制御装置、コンソールおよび／またはその他に結合される。
【００９８】
次に、図５Ａおよび図５Ｂを参照すると、本発明による１つの方法は、心拡張時に、左心室などの心腔内に流体を導入し（または、拡張可能なバルーンを膨張させる）、圧力／体積ループにおける変位を生じさせる工程を包含する。元のループは、点ａ、ｂおよびｃとして示し、変位したループ（上および右へ）はａ’、ｂ’およびｃ’として示す。一般に、流体を左心室内に心拡張時に導入する工程は、異なる拡張期末圧力および／または体積を生じ、これらを変位圧力／体積曲線として測定してグラフで示す。
【００９９】
心拡張時に流体を心室内に導入するか、および／または心室から抜き取ることにより、心室に対する様々な拡張期末圧力および体積条件が形成される。次に、結果として得られる心室の圧力および体積は、心臓が周期を完了する時に連続的に測定する。体積（ある心臓周期で測定）を乗じた圧力の積分は、図５Ａの曲線内部の領域、および図５Ｂの垂直軸上に示すように、１回仕事量に相当する。拡張期末圧力の関数としての１回仕事量は、心室性能の１つの測定基準である。図４Ａおよび図５Ａに示すように、圧力／体積ループは、フランク−スターリング曲線を生成するために使用され、この曲線は、上記で詳細に述べた様々な多くのパラメーターの何れかを含む。これは、フランク−スターリング曲線を生成する従来の方法を大々的に改善したものであり、従来の方法は、スワン−ガンツカテーテルを使用して日中のある期間にわたって測定を行い、心拍出量、および１種類または複数種類の薬剤の投与を測定し、ＬＶＥＤＰを変更する工程を包含する。
【０１００】
再び図５Ａおよび図５Ｂを参照すると、本発明の実施態様では、カテーテルが配置された心腔の心筋硬度および／またはコンプライアンスを計算するための方法を使用する。一実施態様では、心筋硬度を計算する方法は、先ず、体積が最大の時（つまり、心拡張の終わりに）、次に再び体積が最小の時（つまり、心収縮期の終わり）に、圧力および体積を測定する工程を包含する。後続の心臓周期では、拡張期末圧力および体積は、カテーテル上の１個または複数の作動装置を使用して増加（または減少）され、再びデータの２つの集合を記録する。こうしたデータの対の任意の適切な数を測定して、これらのデータの対を使用して圧力／体積曲線を生成する。次に、データの対の各々の集合（つまり、拡張期末集合および収縮期末集合）に関して、最小二乗ルーチンを使用して、各々の点の集合間の直線を決定する。拡張期末点を通る線の勾配は心臓の拡張性硬度であり、この勾配の逆は拡張性コンプライアンスである。収縮期末点を通る線の勾配は変力性硬度であり、この勾配の逆は変力性コンプライアンスである。これらの測定結果および計算に使用する方程式を図５Ａにラベル状に示す。
【０１０１】
もう１つの実施態様では、心腔のコンプライアンスを測定する方法は、室内の体積を連続的に変化させ、同時に室内の圧力を測定し、室の壁部の硬度を連続的に測定する。この方法では、水中聴音器を使用して、任意の適切な周波数で、たとえば毎秒約２００回などで心室内の体積を変化させる。圧力センサは、水中聴音器で生じる周波数とほぼ同じ周波数で、圧力の変化を測定するために使用される。圧力信号を２００Ｈｚで濾波することにより、振幅が周期全体で心臓の硬度に比例する信号を取得する。この数の逆数は、周期全体の心臓のコンプライアンスである。心室に至る弁の何れかが開放している場合、この方法は、水力学的に連結された室の有効硬度およびコンプライアンスを測定する。したがって、僧坊弁が開放すると、左心房および左心室の両方並びに肺静脈のいくつかの硬度およびコンプライアンスを測定する。僧坊弁が閉鎖し、大動脈弁が開放した時に、左心室および大動脈の結合硬度を測定する。両方の弁が閉鎖した場合、等容性収縮または等容性拡張の場合のように、左心室の硬度のみを測定する。圧力／体積勾配は等容性相ではむしろ鋭利であるため、１０００Ｈｚまたはさらに５０００Ｈｚなどの比較的高周波数を使用して、硬度およびコンプライアンスを測定し、これらの値が収縮時または拡張時にどのように変化するかを測定する。
【０１０２】
図６〜図９は、圧力の変化、ひいては硬度の変化をある期間にわたって表示する様々な方法を示す。図６は、作動装置を使用して、周期的に変動する体積の変化を生じさせた場合の圧力の変化を示す。図７は、ローパスフィルタを通して処理された後の同じ変化を示す。図８は、ハイパスフィルタを通して処理された後の同じ変化を示す。最後に、図９は、心腔の収縮期および拡張期の硬度に関連する同じデータを示す。
【０１０３】
（薬剤の投与量／反応特性を決定するための方法）
さらにもう１つの実施態様では、本発明の方法は、様々な心臓および／または循環機能に関する薬剤の１つまたは複数の投与量／反応特性を測定するために使用される。殆どの患者は、特定の薬剤に対してある程度特有の反応を有するため、薬剤の投与量／反応曲線を把握すると、類似の薬剤を定量的に選択し、選択した薬剤の最適な投与レベルを定量的に予測し、薬剤の組合せの短期間の影響を定量的に比較することが可能である。
【０１０４】
本発明の一実施態様では、ある方法は、硝酸１個または複数の様々な血行力学パラメーターおよび性能比をモニタリングしつつ、エステルタイプの薬剤を患者に対して少量の逓増投与量で投与する工程を包含する。次に、測定パラメーターをグラフの一方の軸上に描き、薬剤の投与濃度を対向する軸上に描く。たとえば、心臓予備力（ＣＲ）（ｙ軸）を硝酸エステル投与量（ｘ軸）の関数として描く。３次元の図は、たとえば、ＬＶＥＤＰ（ｘ軸）および硝酸エステル投与量（ｙ軸）に対する心臓予備力（ｚ軸）を表現するために使用し、ここでｘ、ｙおよびｚは、立方体の隅であるかのように等長状態で提示される。
【０１０５】
さらに他の例では、患者に対して設定された新しい「定値」または最適な血行力学パラメーターは、カテーテル挿入時に決定された濃度レベルで薬剤のある組合せにより生成される。（たとえば、ＬＶＥＤＰはある値まで減少し、心拍出量はある値まで増加し、ＳＶＲはある値まで減少し、これらの各々は、治療上の利益を有すると考えられる）。次に、患者には、カテーテル挿入が終了してから相当後に定値を維持するように、同様に作用する経口薬剤を使用する「処方薬」が与えられる。
【０１０６】
さらに他の例では、カテーテルは大動脈内に配置され、大動脈の硬度およびコンプライアンスは直接測定される。このタイプの測定は、薬物療法の前後に使用され（たとえば、ＥＤＴＡを大腿静脈内に注入する）、増加する大動脈コンプライアンスにおける当該薬剤の効果がテストされる。同様に、カテーテルは左心室内に配置され、患者には、心室のコンプライアンスを変更することを目的とする変力性薬剤が与えられる。拡張期末圧力を変更することなく、投与レベルの関数として、心室のコンプライアンスに対する薬剤の影響を直接測定して記録し、表示する。
【０１０７】
上記の説明は、本発明の完全かつ正確な説明であるが、例示的な目的で提示するのであり、請求の範囲に定義される本発明の範囲を制限するものと解釈するべきではない。上記の方法、デバイスおよびシステムには、請求する本発明の範囲から逸脱することなく、様々な変化、追加、置換および／またはその他を加えることができる。たとえば、実施態様によっては、１つまたは複数の薬学的クラス、たとえば変力性薬剤、ホスホジエステラーゼ阻害剤、ベータ遮断薬およびカルシウム拮抗薬、利尿薬、後負荷軽減薬、強心配糖体、神経ホルモン剤を投与し、様々な血行力学パラメーターを測定する。こうした方法は、静止状態または運動状態で、心臓の電気的刺激を変化させるかまたは変化させずに、ペースメーカーまたは両室ペーシングデバイスと同様に行うことができる。多くのその他の実施態様および変形は、本発明の範囲内で考えられる。
【図面の簡単な説明】
【０１０８】
【図１】図１は、本発明の原理によるカテーテルベースの心臓性能モニタリングシステムを示す。
【図２】図２は、図１によるシステムの略図であり、システムの様々な構成部品の界面を含む。
【図３】図３は、複数のセンサおよび作動装置を有し、本発明の一実施態様によるカテーテルを所定の位置に有する患者の心臓を示す。
【図４Ａ】図４Ａは、いくつかの実施態様による本発明の原理に基づく誘導圧力／体積曲線を示す。
【図４Ｂ】図４Ｂは、いくつかの実施態様による本発明の原理に基づく誘導１回仕事量／圧力曲線を示す。
【図５Ａ】図５Ａは、本発明の原理によるいくつかの実施態様による誘導圧力／体積変化曲線を示す。
【図５Ｂ】図５Ｂは、１回仕事量／圧力曲線における図５Ａによる誘導変化を示す。
【図６】図６は、経時的な心腔内の圧力の変化であって、本発明の原理に基づく作動装置により誘導された変化を示す。
【図７】図７は、本発明の原理に基づくローパスフィルタを通過した後の図７に示すデータを示す。
【図８】図８は、本発明の原理に基づくハイパスフィルタを通過した後の図６および図７に示すデータを示す。
【図９】図９は、本発明の原理に基づく図６〜図８に示すデータから導かれた経時的な心腔の硬度を示す。
【図１０】図１０は、本発明の一実施態様に使用される複数の超音波変換器を有するセンサを示す。
【図１１】図１１は、患者の心臓の所定の位置にあるカテーテルであって、図１０に示す超音波センサを有するカテーテルを示す。